(57)【要約】本発明は情報処理の分野における携帯電話向け情報埋込コードの生成方法、情報埋込方法、及びその読取方法に関連する。自然光の下で、普通の携帯電話を用いて、商品の真偽が判別できる特徴あり、一般消費者向きの真偽識別と専門家の真偽識別を統一する問題を解決することである。  携帯電話向け情報埋込コードは所定基準ドットに対して、情報ドットの幾何学的な配置、或物理学的な配置に基づいて、マルチビットとした情報を記述する可能なドットパターンから構成することである。また、サーマルインク、日光変色インク、ＯＶＩ（Ｏｐｔｉｃａｌｌｙ  Ｖａｒｉａｂｌｅ）インクなどを含む少なくとも１種のスキャンしてはいけない情報記述可能なドットパターンを構成することである。  また、本発明が提出した新型の縦横の一本化とした仮想基準線に基づいて、情報ドットマトリックスの異なる位置分布、或は位相変調結果の分布によって、多ビット情報を記録する可能な新型ドットマトリックスパターンは、最大限に多ビット情報を記録し、コード情報記録の効率を高めることができる。
2013168305.tif 000002
【特許請求の範囲】
【請求項１】
携帯電話向け情報埋込コードの生成方法であって、その特徴は、
携帯電話向け情報埋込コードは所定基準ドットに対して、情報ドットの幾何学的な配置、或物理学的な配置に基づいて、マルチビットとした情報を記述する可能なドットパターンから構成すること；
前記、携帯電話向け情報埋込コードはサーマルインク、日光変色インク、ＯＶＩ（Ｏｐｔｉｃａｌｌｙ  Ｖａｒｉａｂｌｅ）インク、蓄光インク、水分により変色するインク、赤外線蛍光発光インク、紫外線蛍光発光インク、可視光蛍光発光インク、背景画像に対し、吸収波長の異なるインク、背景画像に対し、反射波長の異なるインク、背景画像に対し、反射角の異なるインクを含む少なくとも１種のスキャナーで、読み取った画像のＲＧＢ色の空間が直接にＣＭＹＫ色の空間へ変換できない特殊なインクによって、印刷或は塗布をされた情報記述可能なドットパターン；
もしくは、異なる密度の凸或は凹点分布によって印刷された情報記述可能なドットパターン；
もしくは、光の拡散方向、光の反射方向、光の屈折方向の中で一種形式に対し、厳密にコントロールによって構成された情報記述可能なドットパターン；
レーザーマーカにより構成された情報記述可能なドットパターン；
ホログラフにより構成された情報記述可能なドットパターン；
もしくは、読取の対象になった画像に対し、前に１つの偏光板、マイクロレンズ、光干渉板等を含め、少なくとも１種専用ビューワーをかざすと、スキャンしてはいけない情報記述可能なドットパターンを構成することであり；
前記、携帯電話向け情報埋込コードは、その印刷用の画像の電子ファイルが画像形式、或はフォント形式の１種により構成されたものを特徴とする携帯電話向け情報埋込コードの生成方法。
【請求項２】
縦横の一体化基準ドットの携帯電話向け情報埋込コードの生成方法であって、その特徴は、
ドットパターンはマルチビット情報を記録するため、異なる位置の配置、異なる位相変調の配置、または普通の二次元コードに対して、印刷面積を最小化とするドットの組み合わせをさせる結果を含め、一つのドットマトリックスを構成すること；
前記ドットパターンのマトリックス配置の中で、仮想基準線を縦横の一本化とし、仮想基準線に対し一定間隔で基準ドットを配置する；
前記ドットパターンの中で、情報ドットの配置可能なマイクロセルを、中心マイクロセルを囲まれた各々マイクロセルとすることを特徴とする縦横の一体化基準ドットの携帯電話向け情報埋込コードの生成方法。
【請求項３】
レーザーマーカ装置により携帯電話向け情報埋込コードの情報埋込方法であって、その特徴は：
レーザーマーカ装置により携帯電話向け情報埋込コードの構成する背景は、ブラックインク、感温インク、日光変色インク、ＯＶＩ（Ｏｐｔｉｃａｌｌｙ  Ｖａｒｉａｂｌｅ）インク、蓄光インク、水分により変色するインク、赤外線蛍光発光インク、紫外線蛍光発光インク、可視光蛍光発光インク、赤外線吸収インク、赤外線透過インク、背景画像と異なる吸収波長のインク、背景画像と異なる反射波長のインク、背景画像と異なる反射角のインクにより背景層を形成することであり、また、ホログラフ、金属、ガラス、紙または樹脂の表面であり；
前記、レーザーマーカ装置により携帯電話向け情報埋込コードの構成する背景に対し、所定基準ドットに対して、情報ドットの幾何学的な配置、或物理学的な配置に基づいて、マルチビットとした情報を記述する可能なドットパターンから構成すること；
前記、携帯電話向け情報埋込コードは、そのレーザーマーカ装置用の画像の電子ファイルが画像形式、或はフォント形式の１種により構成されたものを特徴とするレーザーマーカ装置により携帯電話向け情報埋込コードの生成方法。
【請求項４】
携帯電話向け情報埋込コードの読み取る方法であって、その特徴は、
携帯電話のカメラのレンズの前に、付加レンズを付け；
付加レンズを通じて、携帯電話向け情報埋込コードにより情報埋込された画像を読取り；
所定基準ドットに対して、情報ドットの幾何学的な配置、或物理学的な配置により、マルチビット情報を記述するドッパターンの構成規則に基づいて、前記携帯電話向け情報埋込コードのコード値を認識することを特徴とする携帯電話向け情報埋込コードの読み取る方法。
【請求項５】
前記、特許請求１、３及び４に記載された幾何学的な配置は、
情報ドットの配置に対して、情報ドットの有無、情報ドットの異なる位置、情報ドットの異なる方向、情報ドットの異なる形、情報ドットの異なる数、情報ドットの異なる大きさ、情報ドットの情報ドットの集中或分散の分布、及び二次元コードの組み合わせによって構成した情報ドットの配置を含み、少なくても１種の幾何学的な特性を有することによって、情報を記述することが可能になるドットパターンの構成である。
【請求項６】
前記、特許請求１、  ３及び４に記載された物理学的な配置は、
情報ドットの配置に対して、情報ドットの異なる位相変調（ＰＭ）結果、情報ドットの異なる変調（ＡＭ／ＦＭ）結果、情報ドットの異なる伝播方向、情報ドットの異なる力学のベクトル、情報ドットの異なる周波数を含み、少なくでも１種の物理学的な特性を有することによって、情報を記述することが可能になるドットパターンの構成である。
【請求項７】
前記、特許請求１、２に記載された携帯電話向け情報埋込コードは、マルチビット情報を記述できるドットパターンの中で、複数な偽造防止ドットを付加することによって、デジタル化偽造防止システムを構成することを特徴とする携帯電話向け情報埋込コードの生成方法。
【請求項８】
前記、特許請求１、２に記載された携帯電話向け情報埋込コードは、紙を加工する時に、複数の小さい繊維、樹脂粒子、小さい泡を含む光学的読取可能な物質を普通なインキと混ぜて、印刷媒体に塗布し、また、基準ドットも印刷すれば、一つの情報記述の可能なランダム配置のドットパターンを構成することを特徴とする携帯電話向け情報埋込コードの生成方法。
【発明の詳細な説明】
【技術分野】
【０００１】
本発明は情報処理分野に属し、特に、携帯電話の読取向け情報埋込コードの生成方法、情報埋込方法、及びその読取方法である。
【背景技術】
【０００２】
コンピュータ情報ネットワーク技術の急激な進歩によって、二次元コード、携帯電話認識及びネットワークを中心とするモノのインターネット技術は日進月歩で発展している。【０００３】
日本には最新の二次元バーコードとして、直接に大量な音声データを記録するため、微細なドットのマトリックス配置によって構成された複数な２次元矩形のドットコードを際限なく結合することができるドットコードと称される特許の発表がされた。「光学的に可読性二次元バーコード読取装置」（特開２００５−２４３０４７）。このようなコードを用いて、直接に音声をコードに記録することを実現したが、音のデータの容量が大きいため、その大容量な情報を記述するドットコードの面積が比較的に大きいので、当時設計された読取装置はコードの上でスライドしてスキャンすることを通じて、コードのデータを全体的に読み取ることが実現された。操作性は悪かった。当時、この特許の発明者はこの技術を広げるために巨額の資金を投じたが、予想した効果を得なかった。【０００４】
また、二次元コードにより直接に大容量な音データを記録することができ、「音声コード」と言う特許は日本で発表され、「二次元コード、二次元コードの読取方法、プログラム及びコンピュータが読取可能の記録メディア」（特開２０１１−１９８３７１）。この二次元コードは１つの矩形の中に微細なドットを用いて、情報を記録する。読取リーダは接触式で、直接に非常に微細なドット・マトリックスシンボルを読み取ることができる。このようなコードは主に病院や公共場所に視覚障害者に対する案内する活用が可能であるが、このようなコードは情報記録手段の面では飛躍的な進歩がなく、依然として専用の空間の必要があり、ほぼ従来的なコードと変わらない。【０００５】
二次元コードの情報を記録する容量を高めるため、日本の発明者は「カラー二
2013168305.tif 000003
した。カラーバーコード記号を通じてバーコードの情報を記録する容量を高めることができた。しかし、依然としてコードのための専用空間が必要であり、コード面積の大きさの制限を受けている。特にコードの実用領域で必要な高速印字、或は低精度、低コストの白黒プリンターの対応が困難である。【０００６】
もう１種の特殊な二次元コードは「カラービットバーコード」と称され、それも日本の発明者が発表したものである。「光学式認識コード、認識装置及び方法
2013168305.tif 000004
コードは１次元バーコードと似ていて、すべての記号はカラーで実現できる。カラーシンボルは導入されているから、普通のバーコードと同じ情報量には、シンボルのサイズを大きくすることができるため、高精度のカメラで同時に多数のコードを読み取ることができる。特に複数の製品が倉庫に入る時に、一回ですべての商品のコードをコンピュータに読み込むことができるから、製品の入庫管理に対して非常に適する。ただし更に広い範囲での応用に対して、多くの課題を残している。【０００７】
携帯電話で二次元コード読取に適応するため、もっと美観性のある二次元コード或は商品属性がある二次元コードが必要となる。そこで、装飾性がある二次元
2013168305.tif 000005
とテーマする特許が出願された。このコードは普通の二次元コードが一部の領域が破壊されたとしても、誤り訂正が使われたため、正常読取に影響しない特徴を利用し、普通の二次元コードの上で商品の特徴的なマークを印刷した。この発明は確かに一定の応用価値があるのが、一つの新しいコードの発明ではなく、ただ１つの二次元コードの応用例としての発明しか言えない。【０００８】
従来的なコードとして、「角度コード」と称するコードもある。「読取装置を通じて読み取ることができる二次元コードの画像モデルを読取、地図の表すメディ
2013168305.tif 000006
表された。この手法では、極座標の形式でドット・マトリックス配置を行うコードであり、このようなコード形式では、ただ二次元コードの他の表す方法の一つだけと言え、技術と実用の面には飛躍的な進歩になっていない。今二次元コードの普及と高標準化を、かなり進んでいる時代に対して、二次元コードに対して、飛躍的に成れなければ、発明の価値がない。【０００９】
２０００年以来、コード技術は大幅に発展した。その最も重要な特徴として、一番目は従来的な二次元コードが専用の空間の必要に対して、空間を占めない情報埋込コードに発展した。二番目は、従来の二次元バーコードが１つのシンボルは１ビット情報しかを記述できないことに対して、マルチビット情報を記述することができる新しいコードへ進化しました。この時代の代表的な有名なコード技術特許は下記の通り、いくつかあった。【００１０】
スウェーデンＡｎｏｔｏ社により出願した「光学読み取ることができるデジタル化の紙」（ＰＣＴ／ＳＥ００／０１８９５）という国際特許があった。この特許は１つの仮想の十字線の中心を基準にして、情報ドットがその周囲の４つの位置で配置することによって、４つの数字、つまり２ビットの情報を記述することができる。この特許によって紙にドット・マトリックスをいっぱいに印刷することを通じて座標情報を紙に埋め込むことができ、ペン式の光学リーダでこのような紙に書いたら、書かれた文字などの情報は直接コンピュータに入力する事が可能である。たいへん残念なことは、このコードの発明者が考慮した基準は仮想であるため、座標情報を埋める時に、座標の近傍の２つの座標位置は１つの一定な数字であるため、リーダを移動する時に座標の位置が読み取れるが、ただ一度のタッチだけでは、普通の二次元コードのように直接コードを読み取ることができない。【００１１】
日本Ｇｒｉｄ社の創業者は直ちにスウェーデンＡｎｏｔｏ社の特許の欠陥を発見し、迅速に「ドット・マトリックスモデルを使って情報の入出力を実現する方法」（ＰＣＴ／ＪＰ２００３／０１２３６４）と言う国際特許を出願した。基準ドットのないスウェーデンＡｎｏｔｏ社の特許の欠陥に対して、是正が行き過ぎて、矩形の４つの頂点に４つの基準ドットを配置し、この４つの格子ドットと呼ばれるドットを結びことによって格子線を構成し、格子線同士の交差を基準に、その周囲の８つの位置に配置することができるため、８つの数字つまり３ビットの情報を記述することができると提出した。Ｇｒｉｄ社の創業者は自らの発明をかなり進歩的なすばらしい発明であると信じ、会社の名前をグリッド（四つの角の意味（Ｇｒｉｄ）と命名した。しかし実情は、まったくこんなに多くの基準ドットは不必要である。この特許出願の請求項に対し、１つの基準ドットを減らせば、仮想の中心が形成できなくなって、全く別な技術と言えるので、防衛のための特許にはなり得るが、他社特許を攻撃できるような特許ではない。また、スウェーデンＡｎｏｔｏ社の仮想交点の表現仕方の影響を受け、その以後の特許出願の中でも何度も大量の仮想格子、仮想格子線等実際に存在しない曖昧な主張しかができなかった。このような極端な特許権利の請求、その結果は、たとえ特許権利は侵害されたとしても、有利な証拠を挙げられないため、攻撃ができるような特許に成れない。その他に、この特許は１つの情報ドットが８ビットの情報を記述することができると主張したが、実際にサンプリング理論に基づいて、情報ドットのそれぞれの位置の間に応じて一定的な間隔が空けるべき、この理論を反すれば、誤って認識されやすい問題が生じる。だから、２ビットの情報を記録することができるのは合理的である。もしあくまでこのようにするなら、情報ドットのサイズを拡大しなければならないため、かえって情報の記録効率が低くなり、地紋の階調は増えさせられて、画像の画質への影響を与えてしまう。【００１２】
上記の２つの特許はペン式タッチリーダつまりタッチ式読取りペンでマルチメディア応用する分野の発展状況を代表している。実は国際上に印刷画像に対して情報を埋め込む主要な戦場は複写機業界である。国際的な複写機の大手は、紙媒体の情報を流出する深刻な社会問題を解決するため、印刷画像に大量な情報を埋め込む技術について峻烈な特許競争を繰り広げている。【００１３】
世界最大な複写機製造メーカーはこの領域を独占したことがあった、「画像の形成装置」（特開平９−１７２５３７）という特許出願をした。この特許には幾何学形態の異なる位置、異なる大きさ、異なる方向、異なる形によって１ビットの情報を記述する手法が提出された。このような広い範囲で特許権利を主張した特許を獲得したことは、さすがに世界的有名企業である。しかし、比較的に早めに特許を獲得したが、実際に使用してみたら、印刷網点が非常に小さくて、またノイズも多いため、いつ製品になれるのが確認できなかった。【００１４】
２０００年に日本のもう一つのプリンター会社が「Ｖａｌ−Ｃｏｄｅ」と称されるコードを提出し、そして「デジタル電子透かし装置、デジタル電子透かしの識別装置、デジタル電子透かしの埋込み方法、デジタル電子透かしの識別方法」（特開２００３−２０９６７）という特許を出願した。この特許には物理学形態の異なる伝搬方向のドット・マトリックス順列を取り入れて１ビットの情報埋込を行い、大変雑音がある印刷のドット・マトリックス中で正確に情報ドット・マトリックスの伝搬方向を抽出することができる。これは間違いなく大変ハイレベルな発明だと思う。しかし、物理学形態の異なる伝播方向のドット・マトリックスを使うと、その周囲で大量の情報記録と関係ないドット・マトリックスを並べなければならなくて、情報の記録効率の低い問題が残られる。【００１５】
印刷物の画像に情報埋込として、上述の従来的な方法はすべて印刷スクリーンの特性を考慮していなかった。特に複写機領域の応用に対して、すべて１種の地紋の中で多目的な情報埋込を実現することを考慮していなかった、すべて印刷画像に直接情報を埋め込むことを提出していなかった、すべて情報埋込みの効率および情報量の最大化の問題を考慮していなかった。【００１６】
２０００年以来、印刷画像に情報埋込に対する国際代表的な発明は「紙に大量にデータを保存できるスクリーンコードの埋込み方法」（特許第３８２９１４３）、および「情報埋込コード、情報埋込コードの生成方法、および情報埋込コードの生成装置」（特許第４０５４３３９）などのスクリーンコードについての特許があった。この特許はまず印刷物の画像に直接に情報を埋め込む観点からして、画像の品質を落とさないままで、大容量な情報を埋め込むことを可能とするため、印刷の網点の階調を変えない前提にして、網点の異なる位置、異なる形、異なる方向、異なる個数などの幾何学形態の変化を通じて、マルチビット情報の埋込を実現する。【００１７】
更にスクリーンコードの特許は網点の階調を変えない前提に網点の異なる変調方式、或は網点の位相変調を通じてマルチビット情報の埋込の方法をと提案した。【００１８】
具体的にタッチ式読取りペン製品の応用中、Ｋ版印刷に用いる再生内容のインデックス情報を記述することができる地紋を形成するため、１つの同じドットの大きさ、同じトットの間隔の地紋の画像に対して、それぞれの網点の階調を変えないままで、網点の異なる位置によって、２ビットの情報埋込を実現する。ここに設けられた１組のインデックス情報を記録するデータは６＊６ドット・マトリックスによって５０ビットの情報の埋込を実現することが可能である。【００１９】
複写機の情報セキュリティ対策機能製品の具体的な応用には、同一地紋の中で複写した書類とオリジナル書類を区別できる文字浮きあげ機能、機密書類の複写禁止機能、ファイルはどのパソコンから作成されたのか等の追跡機能、印刷する内容のデジタルデータを地紋に埋込、印刷した書類に対して、自動的に読取ることができる自動読取機能等に該当される多機能地紋が、スクリーンコードによって構成できる。【００２０】
今まで上述した二次元コードはすべて自然光の下で携帯電話を用いて自動的に写真を撮って自動的にネットに繋ぐ、しかも撮られた二次元コードは偽造防止機能を備えなかった。特に偽造防止分野に対して、携帯電話認識を用いて、一般消費者の識別方法と専門家の識別方法の統一を実現できるのは早急に解決しなければならない難題である。
【特許文献１】「光学的に可読性二次元バーコード読取装置」（特開２００５−２４３０４７）
【特許文献２】「音のコード」と言う特許は日本で発表され、「二次元コード、二次元コードの読取方法、プログラム及びコンピュータが読取可能の記録メディア」（特開２０１１−１９８３７１）
【特許文献３】「カラー二次元コード」（特開２００６−１７８６９２）
【特許文献４】「カラー二次元コードの作成方法及び解読方法」（特開２０１１−１８６６１３）
【特許文献５】「光学式認識コード、認識装置及び方法とプログラム」（特開２００８−２８７４１４）
【特許文献６】「マークづきの二次元コード」（特開２００９−１０４４５１）
【特許文献７】「光学読み取ることができるデジタル化の紙」（ＰＣＴ／ＳＥ００／０１８９５）
【特許文献８】「ドット・マトリックスモデルを使って情報の入出力を実現する方法」（ＰＣＴ／ＪＰ２００３／０１２３６４）
【特許文献９】「画像の形成装置」（特開平９−１７２５３７）
【特許文献１０】「デジタル電子すかし装置、デジタル電子すかしの識別装置、デジタル電子すかしの埋込み方法、デジタル電子すかしの識別方法」（特開２００３−２０９６７）
【特許文献１１】「紙に大量にデータを保存できるスクリーンコードの埋込み方法」（特許第３８２９１４３）
【特許文献１２】「情報埋込コード、情報埋込コードの生成方法、および情報埋込コードの生成装置」（特許第４０５４３３９）
【発明の開示】
【発明が解決しようとする課題】
【００２１】
本発明の第１の目的は普通の携帯電話のカメラを用いて、自然光で、情報を埋め込んだ画像を撮ると、自動的にネットワークを繋ぐことによって真贋判定ができる偽造防止コードとした携帯電話向け情報埋込コードの構造を提出する。さらに、偽造防止コードと商品マークを融合する課題を解決することである。【００２２】
本発明の第２の目的はもっと効率いいに情報を記述できる見えない携帯電話向け情報埋込コードの構成方法を提出する。【００２３】
本発明の第３の目的は普通の携帯電話のカメラに対して、特殊なレンズを付け、自然光で、情報を埋め込んだ画像を撮ることによって、真贋判定ができる偽造防止システム、または、印刷のマルチメディアシステムを提出する。【００２４】
前記課題を解決するために、請求１に係る発明の内容は、
携帯電話向け情報埋込コードの生成方法であって、その特徴は、
携帯電話向け情報埋込コードは所定基準ドットに対して、情報ドットの幾何学的な配置、或物理学的な配置に基づいて、マルチビットとした情報を記述する可能なドットパターンから構成すること；
前記、携帯電話向け情報埋込コードはサーマルインキ、日光変色インキ、ＯＶＩ（Ｏｐｔｉｃａｌｌｙ  Ｖａｒｉａｂｌｅ）インキ、蓄光インキ、水分により変色するインキ、赤外線蛍光発光インキ、紫外線蛍光発光インキ、可視光蛍光発光インキ、背景画像に対し、吸収波長の異なるインキ、背景画像に対し、反射波長の異なるインキ、背景画像に対し、反射角の異なるインキを含む少なくとも１種のスキャナーで、読み取った画像のＲＧＢ色の空間が直接にＣＭＹＫ色の空間へ変換できない特殊なインキによって、印刷或は塗布をされた情報記述可能なドットパターン；
もしくは、異なる密度の凸或は凹点配置によって印刷された情報記述可能なドットパターン；
もしくは、光の拡散方向、光の反射方向、光の屈折方向の中で一種形式に対し、厳密にコントロールによって構成された情報記述可能なドットパターン；
もしくは、レーザーマーカにより構成された情報記述可能なドットパターン；
もしくは、ホログラフにより構成された情報記述可能なドットパターン；
もしくは、読取の対象になった画像に対し、前に１つの偏光板、マイクロレンズ、光干渉板等を含め、少なくとも１種専用ビューワーをかざすと、スキャンしてはいけない情報記述可能なドットパターンを構成することであり；
前記、携帯電話向け情報埋込コードは、その印刷用の画像の電子ファイルが画像形式、或はフォント形式の１種により構成されたものを特徴とする。【００２５】
前記課題を解決するために、請求２に係る発明の内容は、
縦横の一本化基準ドットの携帯電話向け情報埋込コードの生成方法であって、その特徴は、
ドットパターンはマルチビット情報を記録するため、異なる位置の配置、異なる位相変調の配置、または普通の二次元コードに対して、印刷面積を最小化とするドットの組み合わせをさせる結果を含め、一つのドットマトリックスを構成すること；
前記ドットパターンのマトリックス配置の中で、仮想基準線を縦横の一本化とし、仮想基準線に対し一定間隔で基準ドットを配置する；
前記ドットパターンの中で、情報ドットの配置可能なマイクロセルを、中心マイクロセルを囲まれた各々マイクロセルとすることを特徴とする縦横の一本化基準ドットの携帯電話向け情報埋込コードの生成方法。【００２６】
前記課題を解決するために、請求３に係る発明の内容は、
レーザーマーカ装置により携帯電話向け情報埋込コードの情報埋込方法であって、その特徴は：
レーザーマーカ装置により携帯電話向け情報埋込コードの構成する背景は、ブラックインキ、感温インキ、日光変色インキ、ＯＶＩ（Ｏｐｔｉｃａｌｌｙ  Ｖａｒｉａｂｌｅ）インキ、蓄光インキ、水分により変色するインキ、赤外線蛍光発光インキ、紫外線蛍光発光インキ、可視光蛍光発光インキ、赤外線吸収インキ、赤外線透過インキ、背景画像と異なる吸収波長のインキ、背景画像と異なる反射波長のインキ、背景画像と異なる反射角のインキにより背景層を形成することであり、また、ホログラフ、金属、ガラス、紙または樹脂の表面であり；
前記、レーザーマーカ装置により携帯電話向け情報埋込コードの構成する背景に対し、所定基準ドットに対して、情報ドットの幾何学的な配置、或物理学的な配置に基づいて、マルチビットとした情報を記述する可能なドットパターンから構成すること；
前記、携帯電話向け情報埋込コードは、そのレーザーマーカ装置用の画像の電子ファイルが画像形式、或はフォント形式の１種により構成されたものを特徴とする。【００２７】
前記課題を解決するために、請求４に係る発明の内容は、
携帯電話向け情報埋込コードの読み取る方法であって、その特徴は、
携帯電話のカメラのレンズの前に、付加レンズを付け；
付加レンズを通じて、携帯電話向け情報埋込コードにより情報埋込された画像を読取り；
所定基準ドットに対して、情報ドットの幾何学的な配置、或物理学的な配置により、マルチビット情報を記述するドッパターンの構成規則に基づいて、前記携帯電話向け情報埋込コードのコード値を認識することを特徴とする携帯電話向け情報埋込コードの読み取る方法。【００２８】
請求項５に係る発明として、情報ドットの配置に対して、情報ドットの有無、情報ドットの異なる位置、情報ドットの異なる方向、情報ドットの異なる形、情報ドットの異なる数、情報ドットの異なる大きさ、情報ドットの情報ドットの集中或分散の分布、及び二次元コードの組み合わせによって構成した情報ドットの配置を含み、少なくでも１種の幾何学的な特性を有することによって、情報を記述することが可能になるドットパターンの構成である。【００２９】
このような構成とすることで、情報ドットが幾何的配置によってマルチビットの情報を記述することができ、少ないドットにより、割合大きな情報を記述することができる特徴を備える。【００３０】
請求項６に係る発明として、情報ドットの配置に対して、情報ドットの異なる位相変調（ＰＭ）結果、情報ドットの異なる変調（ＡＭ／ＦＭ）結果、情報ドットの異なる伝播方向、情報ドットの異なる力学のベクトル、情報ドットの異なる周波数を含み、少なくでも１種の物理学的な特性を有することによって、情報を記述することが可能になるドットパターンの構成である。【００３１】
このような構成とすることで、情報ドットが物理的配置によってマルチビットの情報を記述することができ、少ないドットにより、割合大きな情報を記述することができる、また、初期情報があれば、情報ドットのコード値を算出することができるので、基準ドットの数が減らせる特徴を備える。【００３２】
本発明のメリットと積極的な効果は：
本発明が提出した携帯電話向け情報埋込コードの生成方法を用いて、生成された携帯電話向け情報埋込コードの特徴は、自然光の下で、一般消費者の手持ちの携帯電話を用いて、商品の真偽を判別することができる特徴があり、一般消費者向きの真偽識別と専門家の真偽識別を融合する問題を解決することができる。【００３３】
また、本発明により提案した縦横の一本化基準ドットの携帯電話向け情報埋込コードの生成方法は、単一基準方向の基準ドットの配置を基準に、情報ドットの異なる位置の配置、或は位相変調結果の配置によって、マルチビット情報を記録する一つの新しいドットパターンを提出した。情報記録の効率をアップすることができる特徴を備える。【００３４】
また、本発明はレーザーマーカ装置により携帯電話向け情報埋込コードの情報埋込方法を提案した、その特徴は従来のレーザーマーカ装置を用いても、偽造防止コードを構成することができる。【００３５】
さらに、本発明により提案した携帯電話向け情報埋込コードの読み取る方法は、安価で見えない携帯電話向け情報埋込コードを読み取ることができる。この技術により、印刷のマルチメディアを普及することが可能し、一般消費者が商品の真偽判定を行うこともできる。
［具体的な実施方法］【００３６】
以下が図を用いて本発明の実施例に対して詳しく説明する、ただし本発明が述べた実施例は説明的で、限定的ではない。【００３７】
図１は携帯電話向け情報埋込コードの生成方法のフローチャートである。
図１に示すように：携帯電話向け情報埋込コードの生成方法は３つのステップから構成する。
まず、携帯電話向け情報埋込コードのデータ読取ステップで、暗号化されたコンピュータのランダム偽造防止コードや、商品の属性、生産日付、生産地、販売許可地等情報によって構成された偽造防止コードを読み取る。【００３８】
次、携帯電話向け情報埋込コードのコード変換ステップ２で、上述の読み込んだ携帯電話向け情報埋込コードを幾何学形態或は物理学形態によって配置されたドットパターンに変換する。【００３９】
上述に記載された幾何学形態によって配置されたドットパターンとは、情報ドットの配置に対して、情報ドットの有りまたない、情報ドットの異なる位置、情報ドットの異なる方向、情報ドットの異なる形、情報ドットへの異なる数、情報ドットの異なる大きさ、情報ドットの情報ドットの集中或分散の分布、及び二次元コードの組み合わせによって構成した情報ドットの配置を含み、少なくでも１種の幾何学的な特性を有することによって、情報を記述することが可能になるドットパターンの構成である。【００４０】
上述に記載された物理学形態によって配置されたドットパターンとは、情報ドットの配置に対して、情報ドットの異なる位相変調（ＰＭ）結果、情報ドットの異なる変調（ＡＭ／ＦＭ）結果、情報ドットの異なる伝播方向、情報ドットの異なる力学のベクトル、情報ドットの異なる周波数を含み、少なくでも１種の物理学的な特性を有することによって、情報を記述することが可能になるドットパターンの構成である。【００４１】
上述に記載された携帯電話向け情報埋込コードのドットパターンは、普通のＱＲ二次元コード、ＤＭ二次元コード、ＰＤＦ４１７二次元コード、および所定目的に基づいて、普通の二次元コードのドットの配置に対して全組み合わせの中で、一部分の組合せ結果を選んで構成されたドットパターンにより生成された二次元コードを含む。例えばＧＭ二次元コード、ＯＩＤ１という音声ペン向け二次元コードなどはすべて二次元コードの組み合わせによって構成したドットパターンに属する。【００４２】
上述に記載された携帯電話向け情報埋込コードの情報ドットを構成している異なる位置の配置を、基本的に基準ドットに対した異なる位置とする。基準トットの決める方法がいろいろあるが、情報ドットが異なる位置によって情報を記述することがなると、全部本発明に属する。【００４３】
上述に記載された携帯電話向け情報埋込コードは、仮想の十字線が構成した仮想の交点を基準にする情報ドットの異なる方向、異なる距離、異なる位置を含み、一つの形式によって形成されたドットパターン、矩形の４つの頂点で４つのいわゆる“格子点”がつながって形成した仮想の基準線から形成した仮想の中心を基準にする情報ドットの異なる方向、異なる距離、異なる位置を含み、一つの形式によって形成されたドットパターン、または、色んな実に存在する基準ドット、或は仮想の基準ドットを基準にする情報ドットの異なる方向、異なる距離、異なる位置によって形成したドットパターンを用いて構成された情報埋込コードを全部含まれている。【００４４】
最後、携帯電話向け情報埋込コードの情報埋込出力ステップで、携帯電話向け情報埋込コードの印刷工程は普通のオフセット印刷機、普通の凸版印刷機、普通の凹版印刷機、普通のスクリーン印刷機、普通のデジタル印刷機、普通のプリンタを用いて印刷を実現する。【００４５】
携帯電話向け情報埋込コードを商品の包装ラインによりオンラインで与える方法は、インキジェットシステム、或いはレーザーマーカーを用いて行うことができる。【００４６】
携帯電話向け情報埋込コードは、サーマルインキ、日光変色インキ、ＯＶＩ（Ｏｐｔｉｃａｌｌｙ  Ｖａｒｉａｂｌｅ）インキ、蓄光インキ、水分により変色するインキ、赤外線蛍光発光インキ、紫外線蛍光発光インキ、可視光蛍光発光インキ、背景画像と異なる吸収波長のインキ、背景画像と異なる反射波長のインキ、背景画像と異なる反射角のインキを含む少なくとも１種のスキャナーのスキャンで形成したＲＧＢ色空間が直接ＣＭＹＫ色空間の色に変換できない特殊なインキで、印刷することにより生成され；
もしくは、異なる密度の凸点或は凹点の配置の印刷により生成され；
もしくは、異なる密度の凸点或は凹点の配置のデジタル彫刻により形成され；
もしくは、光の拡散方向、光の反射方向の中で一種形式に対し、厳密にコントロールによって生成され；
もしくは、レーザーマーカにより生成され；
もしくは、ホログラフにより生成され；
もしくは、読取の対象になった画像に対し、前に１つの偏光板、マイクロレンズ、光干渉板等を含め、少なくとも１種専用ビューワーをかざすと、生成されることである。【００４７】
携帯電話向け情報埋込コードは、レーザーマーカーで生成する場合に、事前に生成したい領域に対して、サーマルインキ、日光変色インキ、ＯＶＩ（Ｏｐｔｉｃａｌｌｙ  Ｖａｒｉａｂｌｅ）インキ、蓄光インキ、水分により変色するインキ、赤外線蛍光発光インキ、紫外線蛍光発光インキ、可視光蛍光発光インキ、背景画像と異なる吸収波長のインキ、背景画像と異なる反射波長のインキ、背景画像と異なる反射角のインキを含めて少なくとも１種のスキャナーで読み取った画像のＲＧＢ色空間が直接ＣＭＹＫ色空間の色に変換できない特殊なインキを用いて、先に一つの背景色層として印刷し、さらにその上に、白いインキ或は上述した特殊なインキの色と相違する性質を持っているインキを使ってカーバー層を印刷する。強いレーザーに照射されたら、カーバー層は剥離され、特殊なインキで印刷された背景色が現れ、携帯電話向け情報埋込コードを形成することができる。【００４８】
図２は携帯電話向け情報埋込コードの読取方法のフローチャートである。
図２に示すように、インターネット上の携帯電話向け情報埋込コードの読取方法は三つのステップで構成されている。【００４９】
まず、携帯電話画像読取ステップで、携帯電話に搭載されたＣＣＤ、ＣＭＯＳなどの画像センサーを通じて偽造防止ラベル、納税証書、或は印刷マルチメディア印刷物などの印刷媒質に印刷された携帯電話向け情報埋込コードの画像を読み取る。【００５０】
ここで、微細なドットパターンを読取るために、携帯電話のカメラのレンズの前に、もう一個の付加レンズを付け、
付加レンズを通じて、携帯電話向け情報埋込コードにより情報埋込された画像を読取り、携帯電話のカメラのレンズの前に、付加レンズを付け；
付加レンズを通じて、携帯電話向け情報埋込コードに情報埋込された画像を読取り。【００５１】
携帯電話の読取りの照明条件は、携帯電話向け情報埋込コードの生成方法に基づいて、自然光照明、赤外線照明、紫外線照明を含め、一つの照明方法を選ぶ。【００５２】
次、携帯電話向け情報埋込コード認識ステップで、携帯電話向け情報埋込コードの幾何学或は物理学形態配置の異なる規則によって、携帯電話向け情報埋込コードのコード値を認識する。【００５３】
最後に、ネットワーク接続のステップで、携帯電話撮影或はタッチ読みで携帯電話向け情報埋込コードのコード値を読み取って、携帯電話のネットワークに接続し、サーバーからこのコード値が対応する偽造防止情報やマルチメディアコンテンツデータを取り出して、携帯電話の画面上に表示されて、或はコード値情報によって、いろいろソーシャル活動を行うことが可能である。また、このネット操作はネット接続による商品追跡、ネット接続によるネットショッピング、ネット接続によるネット検索、ネット接続による商品価格検索、ネット接続による商品真偽検索、ネット接続による商品販売のオンライン監察で物横流れ現象が防げる等を含む。【００５４】
図３は現在国際流行ないつかの積み上げ式の二次元コードの説明図である。
図３に示すように、世界最初の積み上げ式の二次元コード即ちＣｏｄｅ４９は１９８７年に米国のＩｎｔｅｒｍｅｃ社により発明された。このタイプのコードの構造は一次元バーコードの延長線で、特別な技術の特徴はあまりない。しかし、当時にとっては新規性があるため、国際標準になって、現在まで応用されている。【００５５】
図４は現在国際で流行されているマトリックス式の二次元コードの示す図である。
図４に示すように、ＶｅｒｉＣｏｄｅという世界初のマトリックス式の二次元コードは１９８２年にＶｅｒｉｔｅｃ社により発明された。上述の積みの二次元コードより技術価値が高いので、国際標準になったし、世界中で広く応用されている。【００５６】
図５は近年、中国で発表された２種類の二次元コードの示す図である。
図５に示すように、中国の二次元コード業界の標準となった「ＧＭ二次元コード」は、普通の二次元コードのドットをいくつの「マクロブロック」に分けて、隣接のマクロブロックの隣接ところは、黒、または白の境界を設置している。このような設計方法は情報の識別が比較的に便利になっているし、コードの外観は従来的な二次元コードより綺麗になった。しかし、沢山な境界の必要があるので、情報記述の効率が悪い。特にこのような二次元コードは基準ドットを設置していないので、シンボルのサイズが小さくなると、特に印刷機の精度が低い場合に、認識のエラーを発生しやすい問題を残している。【００５７】
中国の国家コード委員会により提出した「漢信コード」、その外観は非常にＱＲバーコードと似ている。国家機関により提案したものであるので、ある分野で応用する価値があると考えられる。【００５８】
図３から図５までが提供した二次元コードの共通問題は偽造防止の特性がない。普通の複写機としても複写することが可能である。本発明は従来の二次元バーコードに対して偽造防止処理を実施することによって、偽造防止の特性を持つ二次元コードになることを提案する。
即ち、従来のすべて二次元コードに対して、偽造防止処理をされることによって、生成された新しい二次元コードが携帯電話向け情報埋込コードに属する。【００５９】
図６は異なる方向によってマルチビット情報の記述を示す図である。
図６に示すように、６０１を携帯電話向け情報埋込コードの１網点とし、６０２および６０３を情報ドットとする。情報ドット６０２と６０３の異なる方向によってマルチビット情報を記述することができる。【００６０】
図６の中で、図（ａ）のドットバターンを情報０とし、図（ｂ）のドットバターンを情報１とし、図（ｃ）のドットバターンを情報２とし、図（ｄ）のドットバターンを情報３とする。携帯電話向け情報埋込コードの網点ａ、ｂ，ｃ，ｄは、明らかに異なる方向、異なる電磁波の伝播方向と異なる力学のベクトルの結果によってマルチビット情報の記述を実現することができる。【００６１】
図７は異なる形によってマルチビット情報の記録の示す図である。
図７の中で、図形（ａ）のドットバターンを情報０とし、図（ｂ）のドットバターンを情報１とし、図（ｃ）のドットバターンを情報２とし、図（ｄ）のドットバターンを情報３とする。【００６２】
異なる形を通じてマルチビット情報を記録することは、偽造防止分野で応用することに対して、特別な意味がある。上述のように、印刷画像の網点は、網点の階調を変えないままで、網点の形を変えることを通じて、印刷物に一つの情報を記述することができる、もしこの印刷物は複写されると、通常標準的な分版ソフトウェアを使用した必要ため、その網点は標準の分版ソフトウェアの網点の形に戻ってしまう、埋め込んだ情報を失ってしまう。この特徴を利用して、偽造防止システムを構築する可能になる。【００６３】
図８は集中網点と分散網点によって情報の記述の示す図である。
図８の示すように、１つの網点の中で、構成した網点の点を１つのドットとする集中網点ａと、少なくとも網点の点を複数なドットとする分散網点ｂを用いて、情報を記述することできる。集中網点ａを情報ビット値“１”とし、分散網点ｂを“０”とする。相反して、集中網点ａを情報ビット値“０”とし、分散網点ｂを“１”とすることもできる。【００６４】
図８に示すように、集中網点ａを振幅変調方式（即ちＡＭスクリーン）とし、分散網点ｂを周波数変調方式（即ちＦＭスクリーン）とする。即ち、変調方法の異なるドットパターンによって情報を記録することができる。【００６５】
ｘ０，ｙ０を、それぞれ網点の幅と高さとする、Ｔを網点の間の間隔とすると、次の通りの公式で振幅変調ＡＭスクリーンと周波数変調ＰＭスクリーンを表すことができる。
振幅変調ＡＭスクリーン（網点ａ）：
［公式１］
2013168305.tif 000007
2013168305.tif 000008
を行うことができる。【００６６】
周波数変調ＦＭスクリーン（網点ｂ）：
［公式２］
2013168305.tif 000009
その中のε（ｍ，ｎ）とη（ｍ，ｎ）は（ｘ０，ｙ０）範囲の中で（つまり網点範囲内）調整する。
ε（ｍ，ｎ）とη（ｍ，ｎ）を変えることによって、インパルスの密度と位置を変える、それによって、周波数変調を行うことができる。【００６７】
それに、集中網点ａを低周波数網点と、分散網点ｂを高周波数網点とすることができるため、集中網点ａと分散網点ｂは異なる周波数の成分によって情報を記録することも言える、或は集中網点ａと分散網点ｂは異なる網点のドットの数によって情報を記述することもできる。【００６８】
さらに、集中網点ａのドットの階調値は高い、また、分散網点ｂの一つのドットの階調値は低いので、集中網点ａと分散網点ｂは一つの点の異なる階調値によって情報を記述することもできる。【００６９】
換言すれば、集中網点ａのドットのサイズが大きい、分散網点ｂの一つのドットのサイズが小さいので、集中網点ａおよび分散網点ｂは大きさの異なるドットによって情報を記録することもできる。【００７０】
以上の内容に関して、更に多くの言い方があるが、もし以上のドット・パターンと同様にならば、すべて本発明の範囲に属する。【００７１】
図８が示めす集中網点と分散網点を通じて情報を記述するのは、上述の異なる形によって情報記述するドットパターンと同様に、偽造防止分野で応用することに対して、特別な意味もある。上述のように、印刷画像の網点は、網点の階調を変えないままで、網点の集中と分散を通じて、印刷物に一つの情報を記述することができる、もしこの印刷物は偽造されると、通常標準的な分版ソフトウェアを使用する必要ため、その網点は標準の分版ソフトウェアの網点の形に戻ってしまう、埋め込んだ情報を失ってしまう。この特徴を利用して、偽造防止システムを構築することも可能である。【００７２】
図９は異なる位置及び位相変調によってマルチビット情報の記述の示す図である。図９に示すように：図（ａ）のドットパターンを情報の０とし、図（ｂ）のドットパターンを情報の１とし、図（ｃ）のドットパターンを情報の２とし、そして図（ｄ）のドットパターンを情報の３とすることができる。図（ｅ）と図（ｆ）を、携帯電話向け情報埋込コードの基準ドットと方向キードットとすることができる。【００７３】
図９に示した異なる位置及び位相変調によってマルチビット情報を記述することができる網点の点は３＊３個小さいビックセルの矩形の領域に区分されて配置している。また５＊５個小さいビックセル、或は７＊７個小さいビックセルの配置を設置することもできる。そして、更に必要に応じて、もっと多くの小さいビックセルの矩形の領域を設置することができる。【００７４】
異なる位置及び位相変調によってマルチビット情報を記述するのは、幾何学の理論によって必ず１つの座標系を導入しなければならない、つまり孤立している情報ドットの異なる位置を幾何学形態の空間の中で求めることができない。普通二次元コードは、ドット・マトリックスの中で、必ず水平基準ドットによって構成された１つの仮想水平基準線、及び垂直基準ドットによって構成された１つの仮想垂直基準線を設置される。【００７５】
本発明は、できるだけ基準ドットの数を減らすため、また幾何学の線形変換理論によって、ドット・マトリックスの４５度の角で、少ない基準ドットによって構成するただ１つの縦横の一本化の仮想基準線を提案する。【００７６】
図１０は縦横の一本化の仮想基準線の情報モジュールの示す図である。
図１０に示すように、１つの情報ドットの４つの異なる位置が２ビットの情報を記述する原理によって、１つの４＊４ドット・マトリックスの情報モジュールを構成することができる。図１０には、Ｓ１１、Ｓ２２、Ｓ３３とＳ４４は４５度仮想基準線に配置している基準ドットの配置であり、Ｓ００は携帯電話向け情報埋込コードの方向を表すキードットであり、Ｓ１２、Ｓ１３、Ｓ１４、Ｓ２１、Ｓ２３、Ｓ２４、Ｓ３１、Ｓ３２、Ｓ３４、Ｓ４１、Ｓ４２とＳ４３は情報ドット・マトリックスである、最高２４ビットの情報の記録ができる。
従来、水平と垂直に２つの仮想基準線を設置された情報モジュールと比べると、６ビットの情報が増えた。そして、図１０に示した情報モジュールの仮想基準線が４５度に設置したため、印刷機の水平と垂直方向上の印刷の位置誤差は依然として４５度の仮想基準線に配置された基準ドットに反映することができる、依然として誤差の修正を行うことができる。そして、２次元空間上の一つのドットの位置移動は、必ず任意な二つの基準ドットとの線性関係がある理論によって、一本の仮想基準線を省略しても情報ドット・マトリックスの位置の識別精度に影響しない。上記のように、網点の方向を０とする場合に仮想基準線を４５度とする。また、網点の方向を４５度とする場合に仮想基準線を０度とする。【００７７】
図９と図１０により提案した情報ドットの異なる位置の配置に基づいて、マルチビット情報を記録するドットパターンは、もう一つの観点から見ると、最少のドットの数で、最大の情報量を得ることである。その結果、このようなドット・ドットパターンからなる印刷地紋は情報の埋め込むために、印刷画像と重なり合った結果は、印刷画像にとって最小の影響を受ける。【００７８】
ここで、図９と図１０に示したドットパターンはまだ印刷のスクリーンの特性を考慮しなければならない、印刷スクリーンの特性とは、主に３つの方面を考慮しなければならない。一つは「スクリーンの網点の階調特性」、つまりスクリーンの網点の階調の均一化の特性であり、スクリーンの網点の印刷ドット数は同じ構成を持たせる特性であり、及びスクリーンの網点の階調を最小化とする特性である。二つは「スクリーンの網点の大きさの特性」、つまりスクリーンの網点の印刷ドットの数を最少化とする特性であり、及びスクリーンの網点のサイズを最小化とする特性である。三つは「スクリーンの網点の間隔特性」、これはスクリーンの網点は一定的な間隔によって配列する特性であり、およびスクリーンの網点の間隔をスクリーンの網点のサイズより大きいとする特性である。【００７９】
図１１は物理学形態の位相変調（ＰＭ）によって情報記述の示す図である。
図１１に示すように、図９の１つの携帯電話向け情報埋込コードの網点１１０１は、情報ドット１１０２の異なる物理学形態の位相変調（ＰＭ）の信号伝搬によって、構成したａ、ｂ、ｃとｄ、４種類の異なる位相変調の結果の例である。【００８０】
ここで、位相変調方式とは：２次元空間の中での水平と垂直の方向で、同じ間
2013168305.tif 000010
［公式３］
2013168305.tif 000011
2013168305.tif 000012
行うことができる。【００８１】
位相変調理論によって実現したマルチビット情報を記述するドットパターンの特徴は、伝統的な信号分析理論に基づいて、コード値の識別を行う時に、信号の初期値があれば、それぞれドットの位相値を計算することができるので、更に基準ドットの数を減らすことが可能になる。【００８２】
図１２は印刷面積を最大化とするドットパターンの実現方法の示す図である。
図９と図１０に示したドットパターンが構成された携帯電話向け情報埋込コードは、印刷面積を最小化になっている、即ちドットパターンの実際な階調値が最小化になった印刷画像である。もし図９と図１０のドットパターンの画像を白黒反転すると、図１２に示すように、もう一つの印刷面積を最大化とする携帯電話向け情報埋込コードを構成することができる。図１２では、（１２０１）を印刷しないドットとし、（１２０２）を印刷するドットとする。印刷するドットの集合は印刷面積を構成する。【００８３】
図１３は印刷面積を最大化とする携帯電話向け情報埋込コードの応用例の示す図である。
図１３に示すように、印刷面積を最大化にするコードの組み合わせに、携帯電話向け情報埋込コードが構成できる。ここで、上述の印刷面積のところに対して、各種の標識と図案を印刷することができる、このような構成によって、携帯電話を用いて、情報埋込コードにより埋め込んだ画像を読取ることができる。
図１３では、１３０１を情報ドットとし、（１３０２）と（１３０３）を基準ドットとする。図１３の携帯電話向け情報埋込コードの白いドットを保留して、黒い部分を商標、画像或は図形などの図案を表す。
さらに綺麗な商標、画像或は図形等を表示させるため、白いドットの部分の階調値を、商標、画像或は図形などの画像の該当画素の最小階調値より小さくする階調値とする。【００８４】
図１４は普通二次元コードを情報埋込コードとする例である。実は、図６から図１１までのコードの構成とも、及び普通な各種の二次元コードの構成とも、もともと最小セルに対して、１ビットの情報記述可能なシンボルの並べて成った２次元マトリックスの中で一つの組合せ結果である。
１単位面積上に記録可能な情報量について、普通の二次元コードは恐らく携帯電話向け情報埋込コードよりやや高いはずであるが、１つのシンボルの情報記述可能な情報量に対して、携帯電話向け情報埋込コードは普通の二次元コードより数倍に高い。特に、携帯電話向け情報埋込コードは情報埋込コードであるので、スペースを占めない利点がある、情報記録できる面積は普通のバーコードに比べて数倍が多いので、トータル見ると、携帯電話向け情報埋込コードの方が大量な情報記述が可能である。
図１４に示すように、普通の二次元コードを一部分の組み合わせ結果を利用して、情報埋込コードを構成することが可能になる。【００８５】
上述の図３から図５まで、及び図１４が示した普通の二次元コードでも、コードの生成する時に、サーマルインキ、日光変色インキ、ＯＶＩ（Ｏｐｔｉｃａｌｌｙ  Ｖａｒｉａｂｌｅ）インキ、蓄光インキ、水分により変色するインキ、赤外線蛍光発光インキ、紫外線蛍光発光インキ、可視光蛍光発光インキ、背景画像と異なる吸収波長のインキ、背景画像と異なる反射波長のインキ、背景画像と異なる反射角のインキを含めて少なくとも１種のスキャナーで読み取った画像のＲＧＢ色空間が直接ＣＭＹＫ色空間の色に変換できない特殊なインキを用いて、印刷することによって、偽造防止の仕組みを構成することができる。【００８６】
同様に、上述の図６から図１０まで、及び図１２から図１３までが示した携帯電話向け情報埋込コードは、サーマルインキ、日光変色インキ、ＯＶＩ（Ｏｐｔｉｃａｌｌｙ  Ｖａｒｉａｂｌｅ）インキ、蓄光インキ、水分により変色するインキ、赤外線蛍光発光インキ、紫外線蛍光発光インキ、可視光蛍光発光インキ、背景画像と異なる吸収波長のインキ、背景画像と異なる反射波長のインキ、背景画像と異なる反射角のインキを含めて少なくとも１種のスキャナーで読み取った画像のＲＧＢ色空間が直接ＣＭＹＫ色空間の色に変換できない特殊なインキを用いて、印刷されることによって、偽造防止することができる。【００８７】
図１５は高精度なスキャン防止の色の示す図である。周知のように、現在印刷機の精度がスキャナーの精度よりずっと低い。不法者は、商品マークを偽造する手段が高精度のスキャナーで本物の商品マークをスキャンしてから再び印刷を通じて偽物を作成する。図１５に示すように、スキャナーにより読取った電子画像のすべての色は必ずＲＧＢの色空間に属する、実際に印刷画像の色は必ずＣＭＹＫの色空間に属する。ＣＭＹＫの色空間に属する色を一部分変換できないＲＧＢの色空間に属する色を存在するので、このような色を利用して上述のコードの構造と有効に結合すると、複写してはいけない偽造防止の効果を実現することができる。【００８８】
ＣＭＹＫ色の空間の色を直接にＲＧＢ色の空間の色へ変換できない色は、いろいろあるが、それ以外、ノーカーボン黒色インクー、カーボン有り薄い色員キー、サーマルインキ、日光変色インキ、ＯＶＩ（Ｏｐｔｉｃａｌｌｙ  Ｖａｒｉａｂｌｅ）インキ、蓄光インキ、水分により変色するインキ、赤外線蛍光発光インキ、紫外線蛍光発光インキ、可視光蛍光発光インキ、背景画像と異なる吸収波長のインキ、背景画像と異なる反射波長のインキ、背景画像と異なる反射角のインキ等を使用して印刷された色も含む。【００８９】
図１６はデジタル偽造防止の原理の示す図である。図９に示したマルチビット情報を記述できるドットパターン（ａ）〜（ｄ）の中で、図１６に示すように、網点（１６０１）の中で１つの偽造防止ドット１６０３を付加する。ここで、情報記述ができる情報ドット（１６０２）を読取器により読める所定１種のインキで印刷されたドットとする、偽造防止ドット（１６０３）を情報ドット１６０２との同様な色、異なる性質なインキで同様な形として印刷されたドットとする。例は、読取器が赤外線で読取る場合に、情報ドット（１６０２）をカーボン有りインキで印刷するドットとする。偽造防止ドット１６０３を情報ドット（１６０２）との同様な色のノーカーボンインキで印刷するドットとする。もう一例は、読取器が紫外線で読取る場合に、情報ドット（１６０２）を紫外線蛍光インキで印刷するドットとする。偽造防止ドット（１６０３）を情報ドット（１６０２）との同様な色の普通インキで印刷するドットとする。このような構成によって、高精度スキャンを用いても偽造すると、情報ドット（１６０２）と偽造防止ドット（１６０３）を同様な色になってしまうので、偽造防止機能を備える。
さらに、情報ドット（１６０２）と偽造防止ドット（１６０３）との位置関係を暗号化によって決めるので、人間的に介入による画像の切り抜き、偽造することができない、完全に偽造防止が可能である。【００９０】
図１７は異なる凸ドットの印刷密度によって情報埋込を行う例である。図１７に示すように、スクリーン印刷や凹版印刷などの印刷手段を通じて透明なインキなどを用いて、丸い凸ドット或はマイクルレンズを印刷することができる。ここで、異なる丸い凸ドット或はマイクルレンズの密度、異なる丸い凸ドット或はマイクルレンズの大きさの配列、異なる丸い凸ドット或はマイクルレンズの光学拡散の状況、異なる丸い凸ドット或はマイクルレンズの光学反射の状況、異なる丸い凸ドット或はマイクルレンズの光学モアレの状況を、厳密にコントロールすることによって、情報埋込を行うことができる。【００９１】
図１７には、（ｄ）は携帯電話向け情報埋込コードの断面図の一部分で、（ｂ）は携帯電話向け情報埋込コードの俯瞰図の一部分である。（ａ）の（１７００）は一つの携帯電話向け情報埋込コードであり、（１７０１）は印刷媒体であり、（１７０２）はドット・マトリックスであり、（１７０３）はコードの背景である。
図１７に示すように、偽造防止コードのドット・マトリックス（１７０２）はいくつかの小さい凸ドットから構成している、携帯電話向け情報埋込コードの背景（１７０３）はいくつかの大きい凸ドットから構成している。【００９２】
さらに、ドット・マトリックス（１７０２）は光を吸収する砂ドットから構成することもでき、携帯電話向け情報埋込コードの背景（１７０３）は光が反射するドットから構成することもできる。即ち携帯電話向け情報埋込コードをドット・マトリックス（１７０２）とコードの背景（１７０３）は２種類の異なる光学の効果から構成することが可能である。【００９３】
図１８はもう一つの異なる凸ドットの印刷密度によって情報埋込を行う例である。図１８には、（ａ）は携帯電話向け情報埋込コードの断面図の一部分で、（ｂ）は携帯電話向け情報埋込コードの俯瞰図の一部分である。（ａ）の（１８００）は一つの携帯電話向け情報埋込コードであり、（１８０１）は印刷媒体であり、（１８０２）は携帯電話向け情報埋込コードのドット・マトリックスであり、（１８０３）はコードの背景である。図１８に示すように、ドット・マトリックス（１８０２）０大きい凸ドットとし、携帯電話向け情報埋込コードの背景（１８０３）を小さい凸ドットとする。【００９４】
ここで、ドット・マトリックス（１８０２）は所定位置に対して、丸い凸ドット或はマイクルレンズを設置し、光学の拡散方向，光学の反射方向、光学のモアレをコントロールすることによって、携帯電話向け情報埋込コードを構成することも可能である。【００９５】
図１７或は図１８のような印刷方法で構成した携帯電話向け情報埋込コードの特徴は、ドット・マトリックスを３Ｄになったマイクロレンズによって構成されたので、普通スキャナーを用いて偽造することが不可能であるため、偽造防止の効果がある。
上述の特徴によって、携帯電話向け情報埋込コードのシンボルのサイズ、即ちドットのサイズが大きくにも、偽造防止が可能であるので、携帯電話を用いて、自然光で直接に読取ることができる特徴も備える。一般消費者が携帯電話を用いて、商品の真贋判定することが可能になる。【００９６】
ここで、図１７と図１８の関連するコードの形式は図６から図１０まで、図１２から図１５まで、及び図２２から図２８までの新型コードに限らず、更に図３から図５までの普通の二次元コードにも、すべての２次元画像からなるコードにも適用できる。【００９７】
図１９はレーザーマーカーを用いて情報埋込コードの生成方法の例である。図１９に示すように、（１９００）を携帯電話向け情報埋込コードとし、（１９０１）をコード埋込媒体とし、（１９０２）を識別色層とし、（１９０３）を背景層とし、（１９０４）をドットパターンの位置とし、（１９０５）をレーサーとする。【００９８】
ここで、携帯電話向け情報埋込コード（１９００）を生成する時に、コード埋込媒体（１９０１）の上に事前に、カーボン有りインキ、サーマルインキ、日光変色インキ、ＯＶＩ（Ｏｐｔｉｃａｌｌｙ  Ｖａｒｉａｂｌｅ）インキ、蓄光インキ、水分により変色するインキ、赤外線蛍光発光インキ、紫外線蛍光発光インキ、可視光蛍光発光インキ、背景層（１９０３）と異なる吸収波長のインキ、背景層（１９０３）と異なる反射波長のインキ、背景層（１９０３）と異なる反射角のインキを含めて少なくとも１種のスキャナーで読み取った画像のＲＧＢ色空間が直接ＣＭＹＫ色空間の色に変換できない特殊なインキを用いて、印刷することによって、識別色層（１９０２）を構成する。再び、識別色層（１９０２）の上で一層の白いインキ或は上述のような背景層の構成になるインキを印刷し、背景層を構成する。【００９９】
背景層の構成になるインキとは、背景層（１９０３）と異なる吸収波長のインキ、背景層（１９０３）と異なる反射波長のインキ、背景層（１９０３）と異なる反射角のインキに該当されたインキである。【０１００】
レーザー（１９０５）はドットパターンの１９０４の位置に当たって、背景層（１９０３）は局部蒸発によって、下の識別色層１９０２が現れ、一つのドットを形成し、これ続けて、携帯電話向け情報埋込コードの生成が完成することができる。【０１０１】
ここには、図１９に関連するコードの形式は図６から図１０まで、図１２から図１４まで、及び図２３から図２４までの新型コードに限らず、更に図３から図５までの普通の二次元コードなどのようなすべての２次元画像からなるコードには適用できる。【０１０２】
図２０は自然的にランダム可変情報コードの形成の例である。
インクジェット印刷機で人為的に印刷した図１０のような可変情報コードを形成することと比較すると、本発明は図２０に示すように、紙を加工する時に、複数の小さい繊維、樹脂粒子、小さい泡を含む光学的読取可能な物質を普通なインキと混ぜて、印刷媒体に塗布し、また、基準ドットも印刷すれば、一つの情報記述の可能なランダム配置のドットパターンを構成することができる。所定認識のルールに基づいて、そのランダム配置のドットパターンのコード値を識別することができる。
図２０にて、網点Ｓ１１，Ｓ２２，Ｓ３３及びＳ４４を基準ドットとし、網点Ｓ１２，Ｓ１３，Ｓ１４，Ｓ２１，Ｓ２３，Ｓ２４，Ｓ３１，Ｓ３２，Ｓ３４，Ｓ４１，Ｓ４２及びＳ４３を情報ドットとする。
ここで、ｗ０をマイクロセルとし、ｆ０を光学的読取可能な物質とする、上記の所定認識のルールとは、まず、光学読取可能な物質ｆ０のサイズをマイクロセルｗ０より小さいとし、つまりｗ０＞ｆ０。また、光学読取可能な物質ｆ０を必ずマイクロセルｗ０に配置することとする。なれないと、光学読取可能な物質をこのマイクロセルに存在していないとして処理する。または、一つの網点の中で複数な光学読取可能な物質を配することが可能、そして複数の光学読取可能な物質の配置に基づいてコード値を計算する。【０１０３】
図２１は複数の光学読取可能な物質の配置のコード値の計算する例である。
2013168305.tif 000013
とし、網点（ｂ）に配置している光学読取可能な物質のコード値を“２”とし、網点（ｃ）に配置している光学読取可能な物質のコード値を“３”とし、網点（ｄ）に配置している光学読取可能な物質のコード値を“４”とし、網点（ｅ）に配置している光学読取可能な物質のコード値を“５”とし、網点（ｆ）に配置している光学読取可能な物質のコード値を“６”とし、網点（ｇ）に配置している光学読取可能な物質のコード値を“７”とし、網点（ｈ）に配置している光学読取可能な物質のコード値を“８”とし、網点（ｉ）に配置している光学読取可能な物質のコード値を“９”とし、網点（ｊ）に配置している光学読取可能な物質のコード値を“１０”とし、網点（ｋ）に配置している光学読取可能な物質のコード値を“１１”とし、網点（ｌ）に配置している光学読取可能な物質のコード値を“１２”とし、網点（ｍ）に配置している光学読取可能な物質のコード値を“１３”とし、網点（ｎ）に配置している光学読取可能な物質のコード値を“１４”とし、網点（ｏ）に配置している光学読取可能な物質のコード値を“１５”とし、網点（ｐ）に配置している光学読取可能な物質のコード値を“０”とする。【０１０４】
上記の光学読取可能な物質とは、繊維等色媒体の物質を普通の黒い顔料、サーマル顔料、日光変色顔料、ＯＶＩ（Ｏｐｔｉｃａｌｌｙ  Ｖａｒｉａｂｌｅ）顔料、蓄光顔料、水分により変色する顔料、赤外線蛍光発光顔料、紫外線蛍光発光顔料、可視光蛍光発光顔料、赤外線吸収顔料、赤外線透過顔料、背景画像と異なる吸収波長の顔料、背景画像と異なる反射波長の顔料、背景画像と異なる透過波長の顔料、背景画像と異なる反射角の顔料のうち一種を用いて加工することによって、必要な光学特性を備えた光学読取可能な物質である。【０１０５】
図２１に示したランダム的な可変情報コードの生成は、上記のような光学読取可能な物質を、紙パルプの中で混ぜたり、インキの中で混ぜてから、紙の上に塗布したり、あるいは印刷媒体に印刷したり、することによって、ランダムドットパターンを形成することができる。それから、ランダルドットパターンの上に、塗布、オフセット印刷、凸版印刷、凹版印刷、デジタル印刷、或はレーザーマーカーの内１種の方法を用いて、基準ドットを生成する。このように、光学読取可能な物質の異なる位置、異なる方向、異なる形、異なる距離を含む幾何学形態、或は異なる位相変調（ＰＭ）結果、異なる変調（ＡＭ／ＦＭ）方式、異なる伝播方向、異なる力学のベクトルを含む物理学形態によって、可変情報を構成する。【０１０６】
同様な方法で、図１６の偽造防止ドットパターンの構造を参考して、情報ドットとした小さい繊維、樹脂粒子、小さい泡等を含む光学読取可能な物質を、別々複数の異なる光学特性を持つことによって、偽造防止の効果を更に良くさせる。偽造防止のレベルを高める方法について、また、いろいろあるが、上述のような構成と類似すれば、すべて当発明の範囲に属する。【０１０７】
各々可変情報コードをＪＰＧ、ＴＩＦＦ、ＢＭＰ、ＰＤＦなどを含む画像形式で印刷設備に送信し、可変情報を印刷することができるが、大量な可変情報コードの印刷、例１００万個以上可変情報コードを印刷する場合に、画像データの変換の時間がかかり、しかも、画像データのネット伝送も長い時間と大量なメモリー空間を掛かる。この問題を解決するため、携帯電話向け情報埋込コードのパターンをいくつかのフォントにより作成し、複数なフォントの組合せによって携帯電話向け情報埋込コードを構成することによって、大量な可変情報コードの印刷を実現することが可能になる。【０１０８】
図２２は複数なフォントにより携帯電話向け情報埋込コードの構成方法の三つの例である。
図２２（２２−１）には、フォントにより水平と垂直の基準ドットがあるドットパターンの構成方法である。
図２２の（２２−１）に示すように、（２２００）を一つの水平と垂直の基準ドットがある携帯電話向け情報埋込コードのフォントとし、（２４０１）を携帯電話向け情報埋込コードの１つの網点とし、（２４０２）を情報ドットとする。網点ｓ１１、ｓ１２、ｓ２１、ｓ２２、ｓ′１１、ｓ′１２、ｓ′２１及びｓ′２２を情報ドットとし、すべての網点の情報ドットを網点の４つの格子位置に配置することによって、４つのデータ、即ち２ビットの情報を記述することができる。網点ｓ３１、ｓ３２、ｓ′３１、ｓ′３２を垂直基準ドットとし、ｓ１３、ｓ２３、ｓ′１３、ｓ′２３を水平基準ドットとする。【０１０９】
図２２の（２２−１）の中の（ａ）を普通のフォントとし、その特徴はｓ３３網点のドットを左へずれていることによって、携帯電話向け情報埋込コードの方向を表すキードットとする。残りの垂直基準ドットと水平基準ドットはすべて中心に配置している。
図２２の（２２−１）の中の（ｂ）をスタートと終了フォントとし、その特徴はｓ′３３網点のドットを右へずれているによって、携帯電話向け情報埋込コードの方向を表すキードットとする。同様に、残りの垂直基準ドットと水平基準ドットはすべて中心に配置している。【０１１０】
図２２の（２２−２）はただ１つの４５度の基準ドットがある携帯電話向け情報埋込コードのフォントの構成方法である。図２２の（２２−２）に示すように、（２２００′）をただ１つの４５度の基準ドットがある携帯電話向け情報埋込コードのフォントとし、（２２０１′）を携帯電話向け情報埋込コードの１つの網点とし、（２２０２′）を情報ドットとする。網点ｓ１２、ｓ１３、ｓ２１、ｓ２３、ｓ３１、ｓ３２、ｓ′１２、ｓ′１３、ｓ′２１、ｓ′２３、ｓ′３１及びｓ′３２を情報ドットとし、同様に、すべての網点の情報ドットを網点の４つの格子位置に配置することによって、４つのデータ、即ち２ビットの情報を記述することができる。網点ｓ１１、ｓ２２、ｓ３３、ｓ′１１、ｓ′２２及びｓ′３３を縦横の一本化基準ドットとする。【０１１１】
図２２の（２２−２）の（ａ）を普通のフォントとし、その特徴はｓ１１、ｓ２２及びｓ３３がすべて網点の中心にあることである。図２２の（２２−２）の（ｂ）を終了フォントとする、その特徴はｓ００とｓ’３３をキードットをとする。この２つのドットの距離は非常に近いことで、高速に基準ドットの位置を見つける。キードットｓ００とｓ’３３を携帯電話向け情報埋込コードの方向情報を表すことができるだけではなく、更に全体の携帯電話向け情報埋込コードのスタートと終了情報を表すことができる。【０１１２】
図２２の（２２−３）はＧＲＩＤというコードのフォントの構成の方法である。
ＧＲＩＤコードの情報記述の仕組みは４点の格子ドットで囲まれた中心を仮想基準点にして、これを始点として、方向ベクトルにより、表現した終点に情報ドットを配置して情報を定義する。本発明はこのようなドットパターンをフォント形式に構成することを提案する。その特徴は、このようなコードはベクトルデータの形式で構成するので、データからドット・マトリックスへ変換するスピードを高めさせ、更に可変情報を印刷するスピードを高めることもできて、メモリの使用などを減らす。【０１１３】
図２２の（２２−３）に示すように、このフォントには、ｓ１１、ｓ１２、ｓ３１、ｓ３２を４つの格子ドットとし、情報網点ｓ２１はこの４つの格子ドットを囲まれた仮想基準点に対して、異なる距離、異なる方向、異なる位置によって、マルチビット情報を記録することができる。従って、格子ドットｓ１２、ｓ１３、ｓ３２、ｓ３は情報網点ｓ２２に対応し、格子ドットｓ３１、ｓ３２、ｓ５１、ｓ５２は情報網点ｓ４１に対応し、格子ドットｓ３２、ｓ３３、ｓ５２、ｓ５３は情報網点ｓ４２に対応する。同上、情報網点は四つの角に配置して、２ビット情報を記録することができる。
図２２の（２２−３）の（ａ）に示すフォントには四つの情報網点があるので、８ビット情報を記録することができる。このフォントをメインフォントとする。【０１１４】
図２２の（２２−３）の（ｂ）に示すように、このフォントの中で、格子ドットｓ６１、ｓ８１が左側のフォントの格子ドットと合わせて、４つの格子ドットを構成する。例えば右側のフォントの格子ドットｓ６１、ｓ８１が左側のフォントの格子ドットｓ１３、ｓ３３と合わせて、構成された４つの格子ドットに対して、情報網点ｓ７１はこの４つの格子ドットを囲まれた仮想の基準点を基準にして、異なる距離、異なる方向、異なる位置によって、マルチビット情報を記録することができる。
従って、格子ドットｓ６１、ｓ６２、ｓ８１、ｓ８２は情報網点ｓ７２に対応し、格子ドットｓ８１、ｓ１０１と左側のフォントの格子ドットｓ３３、ｓ５３は情報網点ｓ９１に対応し、格子ドットｓ８１、ｓ８２、ｓ１０１、ｓ１０２は情報網点ｓ９２に対応する。同上、情報網点は四つの角に配置して、２ビット情報を記録することができる。同様に、図２２の（２２−３）の（ｂ）に示すフォントには四つの情報網点があるので、８ビット情報を記述することができる。図２２の（２２−３）の（ｂ）に示すフォントは右上方向に拡大するフォントと称する。つまり、コードの情報を記述する容量を高めるため、限界なく、右上方向に広げることができる。【０１１５】
図２２の（２２−３）の（ｃ）に示すように、このフォントの中で、ｓ１２１、ｓ１２２と上のフォントの格子ドットｓ５１、ｓ５２は、情報網点ｓ１１１に対応し、格子ドットｓ１２２、ｓ１２３と上のフォントの格子ドットｓ５２、ｓ５３は情報網点ｓ１１２に対応し、格子ドットｓ１２１、ｓ１２２、ｓ１４１、ｓ１４２は情報網点ｓ１３１に対応し、格子ドットｓ１２２、ｓ１２３、ｓ１４２、ｓ１４３は情報網点ｓ１３２に対応する。
図２２の（２２−３）の（ｃ）に示すフォントは左下方向に拡大するフォントと称する。つまり、コードの情報を記録する容量を高めるため、制限なく、左下に広げることができる。【０１１６】
図２２の（２２−３）の（ｄ）に示すように、このフォントの中で、ｓ１６１、左下のフォント（ｃ）の格子ドットｓ１２３と、左上のフォントの格子ドットｓ５３と、右上のフォントの格子ドットｓ１０１と合わせて、構成された４つの格子ドットは、情報網点ｓ１５１に対応し、格子ドットｓ１６１、ｓ１６２と右上のフォントの格子ドットｓ１０１、ｓ１０２は情報網点ｓ１５２に対応し、格子ドットｓ１６１、ｓ１８１と左下のフォントの格子ドットｓ１２３、ｓ１４３は情報網点ｓ１７１に対応し、格子ドットｓ１６１、ｓ１６２、ｓ１８１、ｓ１８２は情報網点ｓ１７２に対応する。
図２２の（２２−３）の（ｄ）に示すフォントは右下方向に拡大するフォントと称する。つまり、コードの情報を記録する容量を高めるため、制限なく、右下に広げることができる。【０１１７】
上記はただドットパターンをフォント形式によってベクトル化の画像データに変換する例だけを説明した。上記の方法を参考して、更に様々なフォント形質を構成することがあるが、ドットパターンをフォント形式によってベクトル化の画像データに変換するすべて手法に対して、すべて本発明範囲以内に属する。【０１１８】
図２３は３＊３個図２２の（２２−１）に示したフォントで構成した可変長携帯電話向け情報埋込コードの例である。図２３に示すように、（２３００は）３＊３個のフォントを用いて、構成した９＊９ドットパターンの可変長携帯電話向け情報埋込コードを表す、（２３０１）は可変長携帯電話向け情報埋込コードの開始フォントのキードットを表す、（２３０２）可変長携帯電話向け情報埋込コードの終了フォントのキードットを表す。こりによってｎ＊ｎ個ドットの可変長携帯電話向け情報埋込コードを構成することができる。【０１１９】
図２４は３＊３個図２２の（２２−２）に示したフォントで構成した１組の可変長携帯電話向け情報埋込コードの例である。図２４に示すように、（２４００）は一つの３＊３個のフォントで構成した９＊９ドットパターンの可変長携帯電話向け情報埋込コードを表し、（２４０１）は可変長携帯電話向け情報埋込コードの開始フォントのキードットを表し、（２４０２）可変長携帯電話向け情報埋込コードの終了フォントのキードットを表す。従って、ｎ＊ｎ個ドットの可変長電話向け情報埋込コードを構成することができる。【０１２０】
図２５は２＊２個図２２の（２２−３）に示したフォントで構成した可変長携帯電話向け情報埋込コードの例である。図２５に示すように、（２５００）は一つの２＊２個のフォントで構成した可変長携帯電話向け情報埋込コードを表し、（２５０１）は可変長携帯電話向け情報埋込コードの開始フォントのキードットを表し、（２５０２）可変長携帯電話向け情報埋込コードの終了フォントのキードットを表す。同様に従って、ｎ＊ｎ個ドットの可変長電話向け情報埋込コードを構成することができる。
上述のようなキードットは、位置すれたり、複数なドットを表れたりすることによって、コードの方向や、コードの構造などを高速で特定することができる手法に対して、すべて本発明に属する。
基準ドットに基づいて、異なる位置によってマルチビット情報を記述できるドットパターンに対して、文字フォントを用いて、ベクドル化を行うすべての手法が本発明に属する。【０１２１】
図２６はもう一つの偽造防止機能に備えるコードの構成方法の例である。
図２６に示すように、図２６の（２６０１）を一つの偏光効果を利用し、携帯電話向け情報埋込コードの画像を構成するロゴとし、図２６の（２６０２）を偏光効果があるロゴ（２６０１）と関連する偏光フェルタとし、偏光フェルタ（２６０２）を偏光効果があるロゴ（２９０１）の上に置くと、携帯電話向け情報埋込コードの本来の画像が現れて、携帯電話（２６０３）を用いて、携帯電話向け情報埋込コード値を識別してから、ネットと接続し、関係する製品の情報をダウンロードすることができる。【０１２２】
もう一例は、図２６に示すように、（２６０１）を商品のロゴ、或は商品の包装画像とし、（２６０２）をドットパターンの形に基づいて、光の拡散方向、光の反射方向、光の干渉方向などを厳密にコントロールすることによって、形成されたマイクロレンズマトリックスとする。マイクロレンズマトリックス（２６０２）は商品のロゴ、或は商品の包装画像（２６０１）の上に生成させることによって、携帯電話（２６０３）を用いて、所定方向に合わせれば、携帯電話向け情報埋込コードを読取ることができる。スキャナーで、正面でドットパターンを読めないので、偽造防止の効果がある。
ここで、レンズマトリックス２６０２をスクリーン印刷機で生成することとする。【０１２３】
さらに、（２６０１）を、携帯電話向け情報埋込コード干渉地紋とし、（２６０２）を、干渉地紋（２６０１）の位相と関連する光干渉板とする。光干渉板（２６０２）を干渉地紋（２６０１）の上に置かれると、携帯電話向け情報埋込コードの本来のドットパターンの画像を現すことができる。携帯電話（２６０３）により、このドットパターンの画像を読取って、コード値を識別してから、ネットと接続し、関係する製品の情報をダウンロードすることができる。【０１２４】
ここ、図２６と関連するコードの形式は図６から図１０まで、図１２から図１４まで、及び図２３から図２５までの携帯電話向け情報埋込コードに限らず、更に図３から図５までの普通の二次元コードにも応用することが可能である。即ち２次元画像からなるコードはすべて適用できる。【０１２５】
図２７は大容量ドットパターンの情報記述の例です。
図２７に示すように、（２７００）をマルチビット情報を記録することができる網点とし、（２７００）を２＊２のマイクロセルにより構成された網点に対して、一つの情報ドットとする。ここで、情報ドットを網点（ａ）に配置された状態を情報″０″とし、情報ドットを網点（ｂ）に配置された状態を情報″１″とし、情報ドットを網点（ｃ）に配置された状態を情報″２″とし、情報ドットを網点（ｄ）に配置された状態を情報″３″とする。【０１２６】
ここで、１つのシンボルの必要な領域をマイクロセルとする、図２７に示すように、四つのマイクロセルを用いて、２ビットの情報を記録することができる。普通の二次元コードに比べると、情報を記録する容量が半分になるが、情報ドットの必要な領域が普通の二次元コードの１／４だけである。すなわち３／４の領域
2013168305.tif 000014
一化になるし、情報埋込コードとして適する。【０１２７】
図２８はもう一つの携帯電話向け情報埋込コードのドットパターンである。
図２８に示すように、（２８００）を一つの９＊９ドットパターンで構成した情報モジュールとし、（２８０１）を情報ドットとし、（２８０２）を基準ドットとし、（２８０３）をキードットとし、キードットの役割は、それぞれ情報モジュールの方向、情報モジュールの開始と終了位置を表し、高速に基準ドットを特定することである。【０１２８】
図２８に示した情報モジュールを７＊７個ドットによって構成し、その４９個ドットの中で、４５度仮想基準線を構成するために、９個基準ドットの必要があり、残り４０個情報ドットがある。一つの情報ドットごとに２ビットの情報を記述することができるので、４０個情報ドットを用いて８０ビットの情報を記述することができる。普通の二次元コードの１６０ビットの情報を記録する容量に比べて、半分しかないが、情報ドットが必要なマイクロセルの数が普通の二次元コードの１／４だけである、３／４の領域が埋め込む対象画像に使用されることが可能であり。【０１２９】
その他に、図２７と図２８の構成された埋込コードは普通の二次元コードと比較して、情報ドットの異なる位置によって情報を記録するため、識別精度に対して、印刷の拡散により識別精度が低下する影響は小さい。しかも、遠距離の識別にも効果的である。このコードは更に複数のコードが同時に識別を実現することができ、台車で多数の包装箱を運搬する場合に、倉庫の入り口を通す時、同時にすべての包装箱の上に印刷されたコードを一括で読取ってコンピュータに登録する特徴も備える。【０１３０】
図２９はレンズ付け携帯電話の示す図である。
図２９に示すように、（２９００）を携帯電話とし、（２９０１）を携帯電話カメラ画像センサーのレンズとし、（２９０２）を付加レンズとし、（２９０３）を携帯電話向け情報埋込コードとし、（２９０４）をコード埋込媒体とする。
ここで、携帯電話カメラ画像センサーのレンズの前に付加レンズ（２９０１）を設置して、コード埋込媒体（２９０４）の上に与えられた携帯電話向け情報埋込コードが、携帯電話カメラ画像センサーのレンズの前に付加レンズ（２９０１）を通じて、携帯電話に読取られ、所定基準ドットに対して、情報ドットの幾何学的な配置、或物理学的な配置により、マルチビット情報を記述するドッパターンの構成規則に基づいて、前記携帯電話向け情報埋込コードのコード値を認識し、コード値に基づいて、ネットワークから、偽造防止情報やマルチメディアコンテンツを呼び出すことができる。
【図面の簡単な説明】
【０１３１】
図１  携帯電話向け情報埋込コードの生成方法のフローチャート；
図２  携帯電話向け情報埋込コードの読取方法のフローチャート；
図３  現在国際的流行していない、いくつかの積み上げ式の二次元コードの説明図；
図４  現在国際的流行していない、いくつかのマトリックス式の二次元コードの示す図；
図５  近年、中国で発表された２種類の二次元コードの説明図；
図６  異なる方向によってマルチビット情報の記述の示す図；
図７  異なる形によってマルチビット情報の記録の示す図；
図８  集中網点と分散網点によって情報の記述の示す図；
図９  異なる位置及び位相変調によってマルチビット情報の記述の示す図；
図１０  縦横の一体化基準ドットの情報モジュールの示す図；
図１１  物理学形態の位相変調（ＰＭ）によって情報記述の示す図；
図１２  印刷面積を最大化とするドットパターンの実現方法の示す図；
図１３  印刷面積を最大化とする携帯電話向け情報埋込コードの応用例の示す図；
図１４  普通二次元コードを情報埋込コードとする例；
図１５  高精度なスキャン防止の色の示す図；
図１６  デジタル偽造防止の原理の示す図；
図１７  異なる凸ドットの印刷密度によって情報埋込を行う例；
図１８  もう一つの異なる凸ドットの印刷密度によって情報埋込を行う例；
図１９  レーザーマーカーを用いて情報埋込コードの生成方法の例；
図２０  自然的にランダム可変情報コードの形成の例；
図２１  複数の光学読取可能な物質の配置のコード値の計算する例；
図２２−１〜３  複数なフォントにより携帯電話向け情報埋込コードの構成方法の３例
図２３  ３＊３個図２２の（２２−１）に示したフォントで構成した可変長携帯電話向け情報埋込コードの例；
図２４  ３＊３個図２２の（２２−２）に示したフォントで構成した１組の可変長携帯電話向け情報埋込コードの例；
図２５  ２＊２個図２２の（２２−３）に示したフォントで構成した可変長携帯電話向け情報埋込コードの例；
図２６  もう一つの偽造防止機能に備えるコードの構成方法の例；
図２７  大容量ドットパターンの情報記述の例；
図２８  もう一つの携帯電話向け情報埋込コードのドットパターン；
図２９  レンズ付け携帯電話の示す図。
【図１】
2013168305.tif 000015
【図２】
2013168305.tif 000016
【図３】
2013168305.tif 000017
【図４】
2013168305.tif 000018
【図５】
2013168305.tif 000019
【図６】
2013168305.tif 000020
【図７】
2013168305.tif 000021
【図８】
2013168305.tif 000022
【図９】
2013168305.tif 000023
【図１０】
2013168305.tif 000024
【図１１】
2013168305.tif 000025
【図１２】
2013168305.tif 000026
【図１７】
2013168305.tif 000027
【図１８】
2013168305.tif 000028
【図１９】
2013168305.tif 000029
【図２０】
2013168305.tif 000030
【図２１】
2013168305.tif 000031
【図２２−１】
2013168305.tif 000032
【図２２−２】
2013168305.tif 000033
【図２２−３】
2013168305.tif 000034
【図２３】
2013168305.tif 000035
【図２４】
2013168305.tif 000036
【図２５】
2013168305.tif 000037
【図２６】
2013168305.tif 000038
【図２７】
2013168305.tif 000039
【図２８】
2013168305.tif 000040
【図１３】
2013168305.tif 000041
【図１４】
2013168305.tif 000042
【図１５】
2013168305.tif 000043
【図１６】
2013168305.tif 000044
【図２９】
2013168305.tif 000045
【手続補正書】
【提出日】平成26年5月19日(2014.5.19)
【手続補正１】
【補正対象書類名】特許請求の範囲
【補正対象項目名】全文
【補正方法】変更
【補正の内容】
【特許請求の範囲】
【請求項１】
情報を印刷画像として印刷物に記録するために用いられる、複数の網点によって表された情報埋込コードであって、
前記複数の網点には、
１本の直線からなる仮想基準線上に配置されて、該情報埋込コードの位置を示す複数の基準ドットと、
前記仮想基準線の周囲に配置されて、印刷画像として記録される前記情報をマルチビット情報として表した複数の情報ドットと、
を備えていることを特徴とする情報埋込コード。
【請求項２】
前記基準ドットまたは前記情報ドットとなるすべての網点は、マトリックスの格子位置に配置され、
前記基準ドットは、前記仮想基準線が前記マトリックスの対角線となるように、該マトリックスの対角線上の格子位置に配置され、
前記情報ドットは、前記マトリックスの対角線上以外の格子位置に配置されることを特徴とする請求項１に記載の情報埋込コード。
【請求項３】
前記基準ドットは、印刷方向に対して水平方向および垂直方向の印刷誤差を補正するために用いられ、
前記マトリックスの格子が、前記水平方向および前記垂直方向によって形成されることを特徴とする請求項２に記載の情報埋込コード。
【請求項４】
前記基準ドットまたは前記情報ドットとなるすべての網点は、一定の間隔で配列されていることを特徴とする請求項１乃至３のいずれか１項に記載の情報埋込コード。
【請求項５】
前記基準ドットまたは前記情報ドットとなるすべての網点は、隣接する網点との間に、網点のサイズより大きい間隔をあけて配列されていることを特徴とする請求項１乃至４のいずれか１項に記載の情報埋込コード。
【請求項６】
前記複数の網点には、該情報埋込コードの方向を示すキードットを備えていることを特徴とする請求項１乃至５のいずれか１項に記載の情報埋込コード。
【請求項７】
前記キードットは、前記仮想基準線上に配置されることを特徴とする請求項６に記載の情報埋込コード。
【請求項８】
前記複数の網点は、すべて、印刷ドット数が同じ数となる網点であることを特徴とする請求項１乃至７のいずれか１項に記載の情報埋込コード。
【請求項９】
情報埋込コードの生成方法であって、その特徴は、
情報埋込コードは所定基準ドットに対して、情報ドットの幾何学的な配置、或物理学的な配置に基づいて、マルチビットとした情報を記述する可能なドットパターンから構成すること；
前記情報埋込コードはサーマルインク、日光変色インク、ＯＶＩ（Ｏｐｔｉｃａｌｌｙ  Ｖａｒｉａｂｌｅ）インク、蓄光インク、水分により変色するインク、赤外線蛍光発光インク、紫外線蛍光発光インク、可視光蛍光発光インク、背景画像に対し、吸収波長の異なるインク、背景画像に対し、反射波長の異なるインク、背景画像に対し、反射角の異なるインクを含む少なくとも１種のスキャナーで、読み取った画像のＲＧＢ色の空間が直接にＣＭＹＫ色の空間へ変換できない特殊なインクによって、印刷或は塗布をされた情報記述可能なドットパターン；
もしくは、異なる密度の凸或は凹点分布によって印刷された情報記述可能なドットパターン；
もしくは、光の拡散方向、光の反射方向、光の屈折方向の中で一種形式に対し、厳密にコントロールによって構成された情報記述可能なドットパターン；
レーザーマーカにより構成された情報記述可能なドットパターン；
ホログラフにより構成された情報記述可能なドットパターン；
もしくは、読取の対象になった画像に対し、前に１つの偏光板、マイクロレンズ、光干渉板等を含め、少なくとも１種専用ビューワーをかざすと、スキャンしてはいけない情報記述可能なドットパターンを構成することであり；
前記情報埋込コードは、その印刷用の画像の電子ファイルが画像形式、或はフォント形式の１種により構成されたものを特徴とする情報埋込コードの生成方法。
【請求項１０】
レーザーマーカ装置により情報埋込コードの情報埋込方法であって、その特徴は：
レーザーマーカ装置により情報埋込コードの構成する背景は、ブラックインク、感温インク、日光変色インク、ＯＶＩ（Ｏｐｔｉｃａｌｌｙ  Ｖａｒｉａｂｌｅ）インク、蓄光インク、水分により変色するインク、赤外線蛍光発光インク、紫外線蛍光発光インク、可視光蛍光発光インク、赤外線吸収インク、赤外線透過インク、背景画像と異なる吸収波長のインク、背景画像と異なる反射波長のインク、背景画像と異なる反射角のインクにより背景層を形成することであり、また、ホログラフ、金属、ガラス、紙または樹脂の表面であり；
前記、レーザーマーカ装置により情報埋込コードの構成する背景に対し、所定基準ドットに対して、情報ドットの幾何学的な配置、或物理学的な配置に基づいて、マルチビットとした情報を記述する可能なドットパターンから構成すること；
前記情報埋込コードは、そのレーザーマーカ装置用の画像の電子ファイルが画像形式、或はフォント形式の１種により構成されたものを特徴とするレーザーマーカ装置により情報埋込コードの生成方法。
【請求項１１】
情報埋込コードの読み取る方法であって、その特徴は、
携帯電話のカメラのレンズの前に、付加レンズを付け；
付加レンズを通じて、情報埋込コードにより情報埋込された画像を読取り；
所定基準ドットに対して、情報ドットの幾何学的な配置、或物理学的な配置により、マルチビット情報を記述するドッパターンの構成規則に基づいて、前記情報埋込コードのコード値を認識することを特徴とする情報埋込コードの読み取る方法。
【請求項１２】
請求項９乃至１１のいずれか１項に記載された幾何学的な配置は、
情報ドットの配置に対して、情報ドットの有無、情報ドットの異なる位置、情報ドットの異なる方向、情報ドットの異なる形、情報ドットの異なる数、情報ドットの異なる大きさ、情報ドットの情報ドットの集中或分散の分布、及び二次元コードの組み合わせによって構成した情報ドットの配置を含み、少なくても１種の幾何学的な特性を有することによって、情報を記述することが可能になるドットパターンの構成である。
【請求項１３】
請求項９乃至１１のいずれか１項に記載された物理学的な配置は、
情報ドットの配置に対して、情報ドットの異なる位相変調（ＰＭ）結果、情報ドットの異なる変調（ＡＭ／ＦＭ）結果、情報ドットの異なる伝播方向、情報ドットの異なる力学のベクトル、情報ドットの異なる周波数を含み、少なくでも１種の物理学的な特性を有することによって、情報を記述することが可能になるドットパターンの構成である。
【請求項１４】
請求項９に記載された情報埋込コードは、マルチビット情報を記述できるドットパターンの中で、複数な偽造防止ドットを付加することによって、デジタル化偽造防止システムを構成することを特徴とする情報埋込コードの生成方法。
【請求項１５】
請求項９に記載された情報埋込コードは、紙を加工する時に、複数の小さい繊維、樹脂粒子、小さい泡を含む光学的読取可能な物質を普通なインキと混ぜて、印刷媒体に塗布し、また、基準ドットも印刷すれば、一つの情報記述の可能なランダム配置のドットパターンを構成することを特徴とする情報埋込コードの生成方法。
【手続補正書】
【提出日】平成26年6月11日(2014.6.11)
【手続補正１】
【補正対象書類名】特許請求の範囲
【補正対象項目名】全文
【補正方法】変更
【補正の内容】
【特許請求の範囲】
【請求項１】
情報を印刷画像として印刷物に記録するために用いられる、複数の網点によって表された情報埋込コードであって、
前記複数の網点には、
１本の直線からなる仮想基準線上に配置されて、該情報埋込コードの位置を示す複数の基準ドットと、
前記仮想基準線の周囲に配置されて、印刷画像として記録される前記情報をマルチビット情報として表した複数の情報ドットと、
を備えていることを特徴とする情報埋込コード。
【請求項２】
前記基準ドットまたは前記情報ドットとなるすべての網点は、マトリックスの格子位置に配置され、
前記基準ドットは、前記仮想基準線が前記マトリックスの対角線となるように、該マトリックスの対角線上の格子位置に配置され、
前記情報ドットは、前記マトリックスの対角線上以外の格子位置に配置されることを特徴とする請求項１に記載の情報埋込コード。
【請求項３】
前記基準ドットは、印刷方向に対して水平方向および垂直方向の印刷誤差を補正するために用いられ、
前記マトリックスの格子が、前記水平方向および前記垂直方向によって形成されることを特徴とする請求項２に記載の情報埋込コード。
【請求項４】
前記基準ドットまたは前記情報ドットとなるすべての網点は、一定の間隔で配列されていることを特徴とする請求項１乃至３のいずれか１項に記載の情報埋込コード。
【請求項５】
前記基準ドットまたは前記情報ドットとなるすべての網点は、隣接する網点との間に、網点のサイズより大きい間隔をあけて配列されていることを特徴とする請求項１乃至４のいずれか１項に記載の情報埋込コード。
【請求項６】
前記複数の網点には、該情報埋込コードの方向を示すキードットを備えていることを特徴とする請求項１乃至５のいずれか１項に記載の情報埋込コード。
【請求項７】
前記キードットは、前記仮想基準線上に配置されることを特徴とする請求項６に記載の情報埋込コード。
【請求項８】
前記複数の網点は、すべて、印刷ドット数が同じ数となる網点であることを特徴とする請求項１乃至７のいずれか１項に記載の情報埋込コード。
【請求項９】
請求項１乃至８のいずれか１項に記載の情報埋込コードを生成するコード生成方法であって、
（ａ）印刷物に記録する情報を取得する工程と、
（ｂ）前記工程（ａ）によって取得した前記情報に基づいて、該情報に対応するマルチビット情報を生成する工程と、
（ｃ）前記工程（ｂ）によって生成された前記マルチビット情報から、前記情報埋込コードの情報ドット毎のドットパターンを生成する工程と、
（ｄ）所定のドットパターンを有した基準ドットを１本の直線からなる仮想基準線上に配置し、前記工程（ｃ）によって生成された前記ドットパターンを有した前記情報ドットを前記仮想基準線の周囲に配置し、前記基準ドットと前記情報ドットを少なくとも有した前記情報埋込コードに対応する印刷画像情報を生成する工程と、
（ｅ）印刷機で前記印刷物に対して、前記工程（ｄ）によって生成された前記印刷画像情報に基づいた印刷を行い、前記印刷物上に前記情報埋込コードを生成する工程と、
を備えていることを特徴とするコード生成方法。
【請求項１０】
請求項１乃至８のいずれか１項に記載の情報埋込コードを生成するコード生成方法であって、
（ａ）印刷物に記録する情報に対応したマルチビット情報を取得する工程と、
（ｂ）前記工程（ａ）によって取得された前記マルチビット情報から、前記情報埋込コードの情報ドット毎のドットパターンを生成する工程と、
（ｃ）所定のドットパターンを有した基準ドットを１本の直線からなる仮想基準線上に配置し、前記工程（ｂ）によって生成された前記ドットパターンを有した前記情報ドットを前記仮想基準線の周囲に配置し、前記基準ドットと前記情報ドットを少なくとも有した前記情報埋込コードに対応する印刷画像情報を生成する工程と、
（ｄ）印刷機で前記印刷物に対して、前記工程（ｃ）によって生成された前記印刷画像情報に基づいた印刷を行い、前記印刷物上に前記情報埋込コードを生成する工程と、
を備えていることを特徴とするコード生成方法。
【請求項１１】
印刷物に印刷されている請求項１乃至８のいずれか１項に記載の情報埋込コードから、前記情報埋込コードを用いて記録した記録情報を読み取る記録情報読取方法であって、
（ａ）前記印刷物に印刷されている前記情報埋込コードの画像を読み取る工程と、
（ｂ）前記工程（ａ）によって読み取られた前記情報埋込コードの画像から、１本の直線からなる仮想基準線上に配置された基準ドットをすべて識別し、識別した前記基準ドットの位置に基づいて情報ドットをすべて識別し、識別したすべて前記情報ドットのドットパターンを検出する工程と、
（ｃ）前記工程（ｂ）によって検出されたすべての前記情報ドットのドットパターンから、マルチビット情報に変換する工程と、
（ｄ）前記工程（ｃ）によって変換された前記マルチビット情報に基づいて、前記マルチビット情報に対応する前記記録情報を取得する工程と、
を備えていることを特徴とする記録情報読取方法。
【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
所定の大きさの第１のマトリックスの領域内に複数の網点を配置した印刷画像からなる、情報を印刷物に記録した２次元の情報埋込コードであって、
前記網点は、ｎ×ｎ（ｎは２以上の整数）の第２のマトリックスの領域を有し、かつ、前記第２のマトリックスの領域内にドットを有しており、
前記複数の網点には、
１本の直線からなる仮想基準線上に配置される前記網点であって、該情報埋込コードの位置を示す複数の基準ドットと、
前記第１のマトリックス内の前記仮想基準線の周囲に配置される前記網点であって、印刷画像として記録される前記情報をマルチビット情報として表した複数の情報ドットと、
を備え、
前記仮想基準線は、前記第１のマトリックスの対角線となる前記情報埋込コード内に一本だけ有する直線状の基準線であり、
前記基準ドットは、前記第１のマトリックスの対角線上の格子位置に配置され、前記情報ドットは、前記第１のマトリックスの対角線上以外の格子位置に配置されていることを特徴とする情報埋込コード。
【請求項２】
前記第１のマトリックスの行及び列の方向が、印刷方向に対して平行及び垂直な方向である請求項１に記載の情報埋込コード。
【請求項３】
前記基準ドットまたは前記情報ドットとなるすべての前記網点は、一定の間隔で配列されていることを特徴とする請求項１または２に記載の情報埋込コード。
【請求項４】
前記基準ドットまたは前記情報ドットとなるすべての前記網点は、隣接する前記網点との間に、該網点のサイズより大きい間隔をあけて配列されていることを特徴とする請求項１乃至３のいずれか１項に記載の情報埋込コード。
【請求項５】
前記複数の網点には、該情報埋込コードの方向を示すキードットを備えていることを特徴とする請求項１乃至４のいずれか１項に記載の情報埋込コード。
【請求項６】
前記キードットは、前記仮想基準線上に配置されることを特徴とする請求項５に記載の情報埋込コード。
【請求項７】
前記複数の網点は、すべて、印刷ドット数が同じ数となる前記網点であることを特徴とする請求項１乃至８のいずれか１項に記載の情報埋込コード。
【請求項８】
請求項１乃至７のいずれか１項に記載の情報埋込コードを生成するコード生成方法であって、
（ａ）印刷物に記録する情報を取得する工程と、
（ｂ）前記工程（ａ）によって取得した前記情報に基づいて、該情報に対応するマルチビット情報を生成する工程と、
（ｃ）前記工程（ｂ）によって生成された前記マルチビット情報から、前記情報埋込コードの情報ドット毎のドットパターンを生成する工程と、
（ｄ）第１のマトリックスの対角線となる前記情報埋込コード内に一本だけ有する仮想基準線上に、所定のドットパターンを有した基準ドットを配置し、前記工程（ｃ）によって生成された前記ドットパターンを有した前記情報ドットを前記仮想基準線の周囲に配置し、前記基準ドットと前記情報ドットを少なくとも有した前記情報埋込コードに対応する印刷画像情報を生成する工程と、
（ｅ）印刷機で前記印刷物に対して、前記工程（ｄ）によって生成された前記印刷画像情報に基づいた印刷を行い、前記印刷物上に前記情報埋込コードを生成する工程と、
を備えていることを特徴とするコード生成方法。
【請求項９】
請求項１乃至７のいずれか１項に記載の情報埋込コードを生成するコード生成方法であって、
（ａ）印刷物に記録する情報に対応したマルチビット情報を取得する工程と、
（ｂ）前記工程（ａ）によって取得された前記マルチビット情報から、前記情報埋込コードの情報ドット毎のドットパターンを生成する工程と、
（ｃ）第１のマトリックスの対角線となる前記情報埋込コード内に一本だけ有する仮想基準線上に、所定のドットパターンを有した基準ドットを配置し、前記工程（ｂ）によって生成された前記ドットパターンを有した前記情報ドットを前記仮想基準線の周囲に配置し、前記基準ドットと前記情報ドットを少なくとも有した前記情報埋込コードに対応する印刷画像情報を生成する工程と、
（ｄ）印刷機で前記印刷物に対して、前記工程（ｃ）によって生成された前記印刷画像情報に基づいた印刷を行い、前記印刷物上に前記情報埋込コードを生成する工程と、
を備えていることを特徴とするコード生成方法。
【請求項１０】
印刷物に印刷されている請求項１乃至７のいずれか１項に記載の情報埋込コードから、前記情報埋込コードを用いて記録した記録情報を読み取る記録情報読取方法であって、
（ａ）前記印刷物に印刷されている前記情報埋込コードの画像を読み取る工程と、
（ｂ）前記工程（ａ）によって読み取られた前記情報埋込コードの画像から、第１のマトリックスの対角線となる前記情報埋込コード内に一本だけ有する仮想基準線上に配置された基準ドットをすべて識別し、識別した前記基準ドットの位置に基づいて情報ドットをすべて識別し、識別したすべて前記情報ドットのドットパターンを検出する工程と、
（ｃ）前記工程（ｂ）によって検出されたすべての前記情報ドットのドットパターンから、マルチビット情報に変換する工程と、
（ｄ）前記工程（ｃ）によって変換された前記マルチビット情報に基づいて、前記マルチビット情報に対応する前記記録情報を取得する工程と、
を備えていることを特徴とする記録情報読取方法。                                                                            
【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
所定の大きさの第１のマトリックスの領域内に複数の網点を配置した印刷画像からなる、情報を印刷物に記録した２次元の情報埋込コードであって、
前記網点は、ｎ×ｎ（ｎは２以上の整数）の第２のマトリックスの領域を有し、かつ、前記第２のマトリックスの領域内にドットを有しており、
前記複数の網点には、
１本の直線からなる仮想基準線上に配置される前記網点であって、該情報埋込コードの位置を示す複数の基準網点と、
前記第１のマトリックス内の前記仮想基準線の周囲に配置される前記網点であって、印刷画像として記録される前記情報をマルチビット情報として表した複数の情報網点と、
を備え、
前記仮想基準線は、前記第１のマトリックスの対角線となる前記情報埋込コード内に一本だけ有する直線状の基準線であり、
前記基準網点は、前記第１のマトリックスの対角線上の格子位置に配置され、前記情報網点は、前記第１のマトリックスの対角線上以外の格子位置に配置されていることを特徴とする情報埋込コード。
【請求項２】
前記第１のマトリックスの行及び列の方向が、印刷方向に対して平行及び垂直な方向である請求項１に記載の情報埋込コード。
【請求項３】
前記基準網点または前記情報網点となるすべての前記網点は、一定の間隔で配列されていることを特徴とする請求項１または２に記載の情報埋込コード。
【請求項４】
前記基準網点または前記情報網点となるすべての前記網点は、隣接する前記網点との間に、該網点のサイズより大きい間隔をあけて配列されていることを特徴とする請求項１乃至３のいずれか１項に記載の情報埋込コード。
【請求項５】
前記第１のマトリックスの領域内に、該情報埋込コードの方向を示すキー網点を備えていることを特徴とする請求項１乃至４のいずれか１項に記載の情報埋込コード。
【請求項６】
前記キー網点は、前記仮想基準線上に配置されることを特徴とする請求項５に記載の情報埋込コード。
【請求項７】
前記複数の網点は、すべて、印刷ドット数が同じ数となる前記網点であることを特徴とする請求項１乃至６のいずれか１項に記載の情報埋込コード。
【請求項８】
請求項１乃至７のいずれか１項に記載の情報埋込コードを生成するコード生成方法であって、
（ａ）印刷物に記録する情報を取得する工程と、
（ｂ）前記工程（ａ）によって取得した前記情報に基づいて、該情報に対応するマルチビット情報を生成する工程と、
（ｃ）前記工程（ｂ）によって生成された前記マルチビット情報から、前記情報埋込コードの情報網点毎のドットパターンを生成する工程と、
（ｄ）第１のマトリックスの対角線となる前記情報埋込コード内に一本だけ有する仮想基準線上に、所定のドットパターンを有した基準網点を配置し、前記工程（ｃ）によって生成された前記ドットパターンを有した前記情報網点を前記仮想基準線の周囲に配置し、前記基準網点と前記情報網点を少なくとも有した前記情報埋込コードに対応する印刷画像情報を生成する工程と、
（ｅ）印刷機で前記印刷物に対して、前記工程（ｄ）によって生成された前記印刷画像情報に基づいた印刷を行い、前記印刷物上に前記情報埋込コードを生成する工程と、
を備えていることを特徴とするコード生成方法。
【請求項９】
請求項１乃至７のいずれか１項に記載の情報埋込コードを生成するコード生成方法であって、
（ａ）印刷物に記録する情報に対応したマルチビット情報を取得する工程と、
（ｂ）前記工程（ａ）によって取得された前記マルチビット情報から、前記情報埋込コードの情報網点毎のドットパターンを生成する工程と、
（ｃ）第１のマトリックスの対角線となる前記情報埋込コード内に一本だけ有する仮想基準線上に、所定のドットパターンを有した基準網点を配置し、前記工程（ｂ）によって生成された前記ドットパターンを有した前記情報網点を前記仮想基準線の周囲に配置し、前記基準網点と前記情報網点を少なくとも有した前記情報埋込コードに対応する印刷画像情報を生成する工程と、
（ｄ）印刷機で前記印刷物に対して、前記工程（ｃ）によって生成された前記印刷画像情報に基づいた印刷を行い、前記印刷物上に前記情報埋込コードを生成する工程と、
を備えていることを特徴とするコード生成方法。
【請求項１０】
印刷物に印刷されている請求項１乃至７のいずれか１項に記載の情報埋込コードから、前記情報埋込コードを用いて記録した記録情報を読み取る記録情報読取方法であって、
（ａ）前記印刷物に印刷されている前記情報埋込コードの画像を読み取る工程と、
（ｂ）前記工程（ａ）によって読み取られた前記情報埋込コードの画像から、第１のマトリックスの対角線となる前記情報埋込コード内に一本だけ有する仮想基準線上に配置された基準網点をすべて識別し、識別した前記基準網点の位置に基づいて情報網点をすべて識別し、識別したすべて前記情報網点のドットパターンを検出する工程と、
（ｃ）前記工程（ｂ）によって検出されたすべての前記情報網点のドットパターンから、マルチビット情報に変換する工程と、
（ｄ）前記工程（ｃ）によって変換された前記マルチビット情報に基づいて、前記マルチビット情報に対応する前記記録情報を取得する工程と、
を備えていることを特徴とする記録情報読取方法。
【手続補正２】
【補正対象書類名】明細書
【補正対象項目名】００７５
【補正方法】変更
【補正の内容】
【００７５】
本発明は、できるだけ基準網点の数を減らすため、また幾何学の線形変換理論によって、ドット・マトリックス（第１のマトリックス）の４５度の角で、少ない基準網点の中のドットによって構成するただ１つの縦横の一本化の仮想基準線を提案する。
【手続補正３】
【補正対象書類名】明細書
【補正対象項目名】００７６
【補正方法】変更
【補正の内容】
【００７６】
図１０は縦横の一本化の仮想基準線の情報モジュールの示す図である。
図１０に示すように、１つの情報網点の中のドットの４つの異なる位置が２ビットの情報を記述する原理によって、１つの４＊４ドット・マトリックス（第１のマトリックス）の情報モジュールを構成することができる。図１０には、第２のマトリックスの領域を有するＳ11、Ｓ22、Ｓ33とＳ44は４５度仮想基準線に配置している基準網点の配置であり、第２のマトリックスの領域を有するＳ00は携帯電話向け情報埋込コードの方向を表すキー網点であり、第２のマトリックスの領域を有するＳ12、Ｓ13、Ｓ14、Ｓ21、Ｓ23、Ｓ24、Ｓ31、Ｓ32、Ｓ34、Ｓ41、Ｓ42とＳ43は情報網点である、最高２４ビットの情報の記録ができる。
従来、水平と垂直に２つの仮想基準線を設置された情報モジュールと比べると、６ビットの情報が増えた。そして、図１０に示した情報モジュールの仮想基準線が４５度に設置したため、印刷機の水平と垂直方向上の印刷の位置誤差は依然として４５度の仮想基準線に配置された基準網点に反映することができる、依然として誤差の修正を行うことができる。そして、２次元空間上の一つのドットの位置移動は、必ず任意な二つの基準ドットとの線性関係がある理論によって、一本の仮想基準線を省略しても情報網点の位置の識別精度に影響しない。上記のように、網点の方向を０とする場合に仮想基準線を４５度とする。また、網点の方向を４５度とする場合に仮想基準線を０度とする。
【手続補正４】
【補正対象書類名】明細書
【補正対象項目名】００７７
【補正方法】変更
【補正の内容】
【００７７】
図９と図１０により提案した情報網点の中のドットの異なる位置の配置に基づいて、マルチビット情報を記録するドットパターンは、もう一つの観点から見ると、最少のドットの数で、最大の情報量を得ることである。その結果、このようなドットパターンからなる印刷地紋は情報の埋め込むために、印刷画像と重なり合った結果は、印刷画像にとって最小の影響を受ける。
【手続補正５】
【補正対象書類名】明細書
【補正対象項目名】０１１０
【補正方法】変更
【補正の内容】
【０１１０】
図２２の（２２−２）はただ１つの４５度仮想基準線上に基準網点がある携帯電話向け情報埋込コードのフォントの構成方法である。図２２の（２２−２）に示すように、（２２００′）をただ１つの４５度仮想基準線上に基準網点がある携帯電話向け情報埋込コードのフォントとし、（２２０１′）を携帯電話向け情報埋込コードの１つの網点とし、（２２０２′）を情報網点の中のドットとする。網点ｓ12、ｓ13、ｓ21、ｓ23、ｓ31、ｓ32、ｓ′12、ｓ′13、ｓ′21、ｓ′23、ｓ′31及びｓ′32を情報網点とし、同様に、すべての情報網点の中のドットを網点の４つの格子位置に配置することによって、４つのデータ、即ち２ビットの情報を記述することができる。網点ｓ11、ｓ22、ｓ33、ｓ′11、ｓ′22及びｓ′33を縦横の一本化基準網点とする。
【手続補正６】
【補正対象書類名】明細書
【補正対象項目名】０１１１
【補正方法】変更
【補正の内容】
【０１１１】
図２２の（２２−２）の（ａ）を普通のフォントとし、その特徴はｓ11、ｓ22及びｓ33がすべて網点の中心にドットを配置していることである。図２２の（２２−２）の（ｂ）を終了フォントとする。その特徴はｓ00とｓ’33をキー網点とする。この２つの網点の距離は非常に近いことで、高速に基準網点の位置を見つける。キー網点ｓ00とｓ’33を携帯電話向け情報埋込コードの方向情報を表すことができるだけではなく、更に全体の携帯電話向け情報埋込コードのスタートと終了情報を表すことができる。
【国際調査報告】
2013168305.tif 000046
2013168305.tif 000047
2013168305.tif 000048
2013168305.tif 000049